(57)【特許請求の範囲】
【請求項１】
画像表示装置であって、
画像を表示する表示手段と、
レイアウト情報と位置情報とを記憶する記憶手段と、
前記画像表示装置と他の画像表示装置とが個別に画像を表示する第１の構成と、前記画像表示装置が統合画像の第１部分画像を表示し、前記他の画像表示装置が前記統合画像の第２部分画像を表示する第２の構成と、のいずれかを、ユーザ操作に応じて設定する設定手段と、
前記レイアウト情報と前記位置情報とを前記他の画像表示装置に送信する第１通信手段と、
を有し、
前記第１通信手段は、
前記第１の構成から前記第２の構成へと変更するためのユーザ操作に応じて、前記他の画像表示装置に対して、前記統合画像においてマトリクス状に配置された複数の部分画像の水平方向における数および垂直方向における数を示すレイアウト情報と前記統合画像における前記第２部分画像の位置を水平方向の位置および垂直方向の位置で示す位置情報とを送信し、
前記第２の構成から前記第１の構成へと変更するためのユーザ操作に応じて、前記他の画像表示装置に対して、前記第１の構成に対応するレイアウト情報と位置情報とを送信する
ことを特徴とする画像表示装置。
【請求項２】
画像信号を出力する出力手段と通信する第２通信手段をさらに有し、
前記第２通信手段は、前記第１の構成から前記第２の構成へと変更するためのユーザ操作に応じて、前記統合画像においてマトリクス状に配置された複数の部分画像の水平方向における数および垂直方向における数を示すレイアウト情報と前記統合画像における前記第１部分画像の位置を示す前記位置情報とを前記記憶手段から読み出して前記出力手段に送信し、
前記表示手段は、前記出力手段が前記レイアウト情報および前記位置情報に基づいて出力した前記画像信号に基づいて前記画像を表示する
ことを特徴とする請求項１に記載の画像表示装置。
【請求項３】
前記設定手段は、前記第１の構成で表示するのか、前記第２の構成で表示するのかを示す情報を設定する
ことを特徴とする請求項１または２に記載の画像表示装置。
【請求項４】
画像データを取得する複数の取得部を有し、
前記設定手段は、表示用の画像データを取得する取得部を前記複数の取得部の間で切り替えるためのユーザ操作に応じて、前記第１の構成と前記第２の構成との間で設定を変更する
ことを特徴とする請求項１ないし３のいずれか１項に記載の画像表示装置。
【請求項５】
画像データを取得する複数の取得部を有し、
前記第１通信手段は、表示用の画像データを取得する取得部を前記複数の取得部の間で切り替えるためのユーザ操作に応じて、前記他の画像表示装置に対して、前記レイアウト情報と前記他の画像表示装置の前記位置情報を通知する
ことを特徴とする請求項１ないし４のいずれか１項に記載の画像表示装置。
【請求項６】
前記画像表示装置は、プロジェクタである
ことを特徴とする請求項１ないし５のいずれか１項に記載の画像表示装置。
【請求項７】
前記画像表示装置は、液晶表示装置である
ことを特徴とする請求項１ないし５のいずれか１項に記載の画像表示装置。
【請求項８】
レイアウト情報と位置情報とを記憶する記憶手段を有する画像表示装置の制御方法であって、
画像を表示する表示ステップと、
前記画像表示装置と他の画像表示装置とが個別に画像を表示する第１の構成と、前記画像表示装置が統合画像の第１部分画像を表示し、前記他の画像表示装置が前記統合画像の第２部分画像を表示する第２の構成と、のいずれかを、ユーザ操作に応じて設定する設定ステップと、
前記レイアウト情報と前記位置情報とを前記他の画像表示装置に送信する第１通信ステップと、
を有し、
前記第１通信ステップでは、
前記第１の構成から前記第２の構成へと変更するためのユーザ操作に応じて、前記他の画像表示装置に対して、前記統合画像においてマトリクス状に配置された複数の部分画像の水平方向における数および垂直方向における数を示すレイアウト情報と前記統合画像における前記第２部分画像の位置を水平方向の位置および垂直方向の位置で示す位置情報とを送信し、
前記第２の構成から前記第１の構成へと変更するためのユーザ操作に応じて、前記他の画像表示装置に対して、前記第１の構成に対応するレイアウト情報と位置情報とを送信する
ことを特徴とする制御方法。
【請求項９】
レイアウト情報と位置情報とを記憶する記憶手段を有する画像表示装置の制御方法の各ステップをコンピュータに実行させるためのプログラムであって、
前記制御方法は、
画像を表示する表示ステップと、
前記画像表示装置と他の画像表示装置とが個別に画像を表示する第１の構成と、前記画像表示装置が統合画像の第１部分画像を表示し、前記他の画像表示装置が前記統合画像
の第２部分画像を表示する第２の構成と、のいずれかを、ユーザ操作に応じて設定する設定ステップと、
前記レイアウト情報と前記位置情報とを前記他の画像表示装置に送信する第１通信ステップと、
を有し、
前記第１通信ステップでは、
前記第１の構成から前記第２の構成へと変更するためのユーザ操作に応じて、前記他の画像表示装置に対して、前記統合画像においてマトリクス状に配置された複数の部分画像の水平方向における数および垂直方向における数を示すレイアウト情報と前記統合画像における前記第２部分画像の位置を水平方向の位置および垂直方向の位置で示す位置情報とを送信し、
前記第２の構成から前記第１の構成へと変更するためのユーザ操作に応じて、前記他の画像表示装置に対して、前記第１の構成に対応するレイアウト情報と位置情報とを送信する
ことを特徴とするプログラム。
【請求項１０】
画像信号を出力する出力手段と通信する第２通信ステップをさらに有し、
前記第２通信ステップでは、前記第１の構成から前記第２の構成へと変更するためのユーザ操作に応じて、前記統合画像においてマトリクス状に配置された複数の部分画像の水平方向における数および垂直方向における数を示すレイアウト情報と前記統合画像における前記第１部分画像の位置を示す前記位置情報とを前記記憶手段から読み出して前記出力手段に送信し、
前記表示ステップでは、前記出力手段が前記レイアウト情報および前記位置情報に基づいて出力した前記画像信号に基づいて前記画像を表示する
ことを特徴とする請求項９に記載のプログラム。
【請求項１１】
前記設定ステップでは、前記第１の構成で表示するのか、前記第２の構成で表示するのかを示す情報を設定する
ことを特徴とする請求項９または１０に記載のプログラム。
【請求項１２】
前記画像表示装置は、画像データを取得する複数の取得部を有し、
前記設定ステップでは、表示用の画像データを取得する取得部を前記複数の取得部の間で切り替えるためのユーザ操作に応じて、前記第１の構成と前記第２の構成との間で設定を変更する
ことを特徴とする請求項９ないし１１のいずれか１項に記載のプログラム。
【請求項１３】
前記画像表示装置は、画像データを取得する複数の取得部を有し、
前記第１通信ステップでは、表示用の画像データを取得する取得部を前記複数の取得部の間で切り替えるためのユーザ操作に応じて、前記他の画像表示装置に対して、前記レイアウト情報と前記他の画像表示装置の前記位置情報を通知する
ことを特徴とする請求項９ないし１２のいずれか１項に記載のプログラム。
【請求項１４】
前記画像表示装置は、プロジェクタである
ことを特徴とする請求項９ないし１３のいずれか１項に記載のプログラム。
【請求項１５】
前記画像表示装置は、液晶表示装置である
ことを特徴とする請求項９ないし１３のいずれか１項に記載のプログラム。
【請求項１６】
レイアウト情報と位置情報とを記憶する記憶手段を有する画像表示装置の制御方法の各ステップをコンピュータに実行させるためのプログラムを格納したコンピュータが読み取
り可能な記憶媒体であって、
前記制御方法は、
画像を表示する表示ステップと、
前記画像表示装置と他の画像表示装置とが個別に画像を表示する第１の構成と、前記画像表示装置が統合画像の第１部分画像を表示し、前記他の画像表示装置が前記統合画像の第２部分画像を表示する第２の構成と、のいずれかを、ユーザ操作に応じて設定する設定ステップと、
前記レイアウト情報と前記位置情報とを前記他の画像表示装置に送信する第１通信ステップと、
を有し、
前記第１通信ステップでは、
前記第１の構成から前記第２の構成へと変更するためのユーザ操作に応じて、前記他の画像表示装置に対して、前記統合画像においてマトリクス状に配置された複数の部分画像の水平方向における数および垂直方向における数を示すレイアウト情報と前記統合画像における前記第２部分画像の位置を水平方向の位置および垂直方向の位置で示す位置情報とを送信し、
前記第２の構成から前記第１の構成へと変更するためのユーザ操作に応じて、前記他の画像表示装置に対して、前記第１の構成に対応するレイアウト情報と位置情報とを送信する
ことを特徴とする記憶媒体。  
【発明の詳細な説明】
【技術分野】
【０００１】
本発明は、画像表示装置、制御方法、プログラム、及び、記憶媒体に関する。 
【背景技術】
【０００２】
近年、画像出力装置の出力画像データの表示面積を増大させるため、画像出力装置に複数の画像表示装置を接続する接続形態が普及している。それに伴い、画像出力装置のオペレーティングシステム（ＯＳ）上で形成するデスクトップについても、様々な設定が可能となっている。画像出力装置は、例えば、パーソナルコンピュータ（ＰＣ）である。画像表示装置は、例えば、モニタ、プロジェクタ、等である。デスクトップの一例としては、拡張デスクトップと統合デスクトップがある。拡張デスクトップは、１つの画像表示装置で表示されるデスクトップであり、統合デスクトップは、２つ以上の画像表示装置で表示されるデスクトップである。
【０００３】
画像出力装置は、例えば、画像表示装置から画面構成情報を取得し、取得した画面構成情報に基づいてデスクトップの設定を行う。具体的には、画像表示装置の画面が他の画像表示装置の画面から独立した画面（独立画面）であることを示す画面構成情報が取得された場合に、画像出力装置は、拡張デスクトップを設定する。そして、画像表示装置の画面が複数の画像表示装置の複数の画面からなる統合画面の一部の画面（部分画面）であることを示す画面構成情報が取得された場合に、画像出力装置は、統合デスクトップを設定する。
【０００４】
しかしながら、画像出力装置と複数の画像表示装置を有する従来の画像表示システムでは、破たんした画像の表示を避けるために、各画像表示装置の画面構成情報を個別に設定するという煩雑なユーザ操作が必要となる。例えば、１台の画像表示装置に対して部分画面を独立画面に変更するユーザ操作が行われた場合には、他の部分画面を独立画面に変更するユーザ操作が必要となる。また、１台の画像表示装置に対して独立画面を部分画面に変更するユーザ操作が行われた場合には、他の独立画面を部分画面に変更するユーザ操作が必要となる。
【０００５】
特許文献１には、複数の入力端子を備え、複数の入力端子に入力された複数の入力画像データを合成して高解像度の画像を表示するプロジェクタが開示されている。また、特許文献１には、１つ入力端子を使用する場合に、当該入力端子に入力された画像データを拡大表示することも開示されている。
【０００６】
しかしながら、特許文献１に開示の技術は、複数の入力端子を有する画像表示装置に関する技術であり、画像出力装置と複数の画像表示装置を有する画像表示システムに関する技術ではない。そのため、特許文献１に開示の技術を適用したとしても、上記課題（ユーザ操作の煩雑化）を解決することはできない。
【先行技術文献】
【特許文献】
【０００７】
【特許文献１】特開２０１１−８１１８８号公報
【発明の概要】
【発明が解決しようとする課題】
【０００８】
本発明は、複数の画像表示装置のそれぞれの画面構成情報を容易に変更することができる技術を提供することを目的とする。
【課題を解決するための手段】
【０００９】
本発明の第１の態様は、
画像表示装置であって、
画像を表示する表示手段と、
レイアウト情報と位置情報とを記憶する記憶手段と、
前記画像表示装置と他の画像表示装置とが個別に画像を表示する第１の構成と、前記画像表示装置が統合画像の第１部分画像を表示し、前記他の画像表示装置が前記統合画像の第２部分画像を表示する第２の構成と、のいずれかを、ユーザ操作に応じて設定する設定手段と、
前記レイアウト情報と前記位置情報とを前記他の画像表示装置に送信する第１通信手段と、
を有し、
前記第１通信手段は、
前記第１の構成から前記第２の構成へと変更するためのユーザ操作に応じて、前記他の画像表示装置に対して、前記統合画像においてマトリクス状に配置された複数の部分画像の水平方向における数および垂直方向における数を示すレイアウト情報と前記統合画像における前記第２部分画像の位置を水平方向の位置および垂直方向の位置で示す位置情報とを送信し、
前記第２の構成から前記第１の構成へと変更するためのユーザ操作に応じて、前記他の画像表示装置に対して、前記第１の構成に対応するレイアウト情報と位置情報とを送信する
ことを特徴とする画像表示装置である。  
【００１０】
本発明の第２の態様は、
レイアウト情報と位置情報とを記憶する記憶手段を有する画像表示装置の制御方法であって、
画像を表示する表示ステップと、
前記画像表示装置と他の画像表示装置とが個別に画像を表示する第１の構成と、前記画像表示装置が統合画像の第１部分画像を表示し、前記他の画像表示装置が前記統合画像の第２部分画像を表示する第２の構成と、のいずれかを、ユーザ操作に応じて設定する設定ステップと、
前記レイアウト情報と前記位置情報とを前記他の画像表示装置に送信する第１通信ステップと、
を有し、
前記第１通信ステップでは、
前記第１の構成から前記第２の構成へと変更するためのユーザ操作に応じて、前記他の画像表示装置に対して、前記統合画像においてマトリクス状に配置された複数の部分画像の水平方向における数および垂直方向における数を示すレイアウト情報と前記統合画像における前記第２部分画像の位置を水平方向の位置および垂直方向の位置で示す位置情報とを送信し、
前記第２の構成から前記第１の構成へと変更するためのユーザ操作に応じて、前記他の画像表示装置に対して、前記第１の構成に対応するレイアウト情報と位置情報とを送信する
ことを特徴とする制御方法である。  
【００１１】
本発明の第３の態様は、
レイアウト情報と位置情報とを記憶する記憶手段を有する画像表示装置の制御方法の各ステップをコンピュータに実行させるためのプログラムであって、
前記制御方法は、
画像を表示する表示ステップと、
前記画像表示装置と他の画像表示装置とが個別に画像を表示する第１の構成と、前記画像表示装置が統合画像の第１部分画像を表示し、前記他の画像表示装置が前記統合画像の第２部分画像を表示する第２の構成と、のいずれかを、ユーザ操作に応じて設定する設定ステップと、
前記レイアウト情報と前記位置情報とを前記他の画像表示装置に送信する第１通信ステップと、
を有し、
前記第１通信ステップでは、
前記第１の構成から前記第２の構成へと変更するためのユーザ操作に応じて、前記他の画像表示装置に対して、前記統合画像においてマトリクス状に配置された複数の部分画像の水平方向における数および垂直方向における数を示すレイアウト情報と前記統合画像における前記第２部分画像の位置を水平方向の位置および垂直方向の位置で示す位置情報とを送信し、
前記第２の構成から前記第１の構成へと変更するためのユーザ操作に応じて、前記他の画像表示装置に対して、前記第１の構成に対応するレイアウト情報と位置情報とを送信
する
ことを特徴とするプログラムである。  
【００１２】
本発明の第４の態様は、
レイアウト情報と位置情報とを記憶する記憶手段を有する画像表示装置の制御方法の各ステップをコンピュータに実行させるためのプログラムを格納したコンピュータが読み取り可能な記憶媒体であって、
前記制御方法は、
画像を表示する表示ステップと、
前記画像表示装置と他の画像表示装置とが個別に画像を表示する第１の構成と、前記画像表示装置が統合画像の第１部分画像を表示し、前記他の画像表示装置が前記統合画像の第２部分画像を表示する第２の構成と、のいずれかを、ユーザ操作に応じて設定する設定ステップと、
前記レイアウト情報と前記位置情報とを前記他の画像表示装置に送信する第１通信ステップと、
を有し、
前記第１通信ステップでは、
前記第１の構成から前記第２の構成へと変更するためのユーザ操作に応じて、前記他の画像表示装置に対して、前記統合画像においてマトリクス状に配置された複数の部分画像の水平方向における数および垂直方向における数を示すレイアウト情報と前記統合画像における前記第２部分画像の位置を水平方向の位置および垂直方向の位置で示す位置情報とを送信し、
前記第２の構成から前記第１の構成へと変更するためのユーザ操作に応じて、前記他の画像表示装置に対して、前記第１の構成に対応するレイアウト情報と位置情報とを送信する
ことを特徴とする記憶媒体である。
【発明の効果】
【００１４】
本発明によれば、複数の画像表示装置のそれぞれの画面構成情報を容易に変更することができる。
【図面の簡単な説明】
【００１５】
【図１】実施例１に係る画像表示システムの構成の一例を示す概略図
【図２】実施例１に係る画像表示システムの構成の一例を示す詳細図
【図３】実施例１に係る画像表示装置の構成の一例を示す図
【図４】実施例１に係るＤｉｓｐｌａｙＩＤの構成の一例を示す図
【図５】実施例１に係る画面構成情報の一例を示す図
【図６】実施例１に係る画面構成情報の一例を示す図
【図７】実施例１に係る候補情報の一例を示す図
【図８】実施例１に係る画像表示装置の動作の一例を示すフローチャート
【図９】実施例１に係る画像出力装置の動作の一例を示すフローチャート
【図１０】実施例１に係る効果の一例を示す図
【図１１】実施例２に係る画像表示システムの構成の一例を示す概略図
【図１２】実施例２に係る候補情報の一例を示す図
【図１３】実施例２に係る画像表示装置の動作の一例を示すフローチャート
【図１４】実施例２に係る効果の一例を示す図
【図１５】実施例３に係る切り替え操作と動作の対応関係の一例を示す図
【図１６】実施例３に係る画像表示システムの動作の一例を示す図
【図１７】実施例４に係る画像出力装置の構成の一例を示す図
【図１８】実施例４に係る画像出力装置の動作の一例を示すフローチャート
【発明を実施するための形態】
【００１６】
＜実施例１＞
以下、本発明の実施例１に係る画像表示システム及びその制御方法について説明する。
【００１７】
（画像表示システムの構成）
本実施例に係る画像表示システムの構成を大まかに説明する。図１は、本実施例に係る画像表示システムの構成の一例を示す概略図である。図１に示すように、本実施例に係る画像表示システムは、画像表示装置１０１（第１表示装置）、画像表示装置１０２（第２表示装置）、及び、画像出力装置１０３を有する。
【００１８】
画像表示装置１０１，１０２は、外部装置に接続可能な装置であり、画像データに基づく画像を表示可能な装置である。画像表示装置１０１は、第１通信部１０６と第２通信部２１３を有し、画像表示装置１０２は、第１通信部１０７と第２通信部２１４を有する。画像表示装置１０１，１０２としては、例えば、液晶表示装置、有機ＥＬ（Ｅｌｅｃｔｒｏ  Ｌｕｍｉｎｅｓｃｅｎｃｅ）表示装置、プラズマ表示装置、プロジェクタ、等を使用することができる。
【００１９】
画像出力装置１０３は、外部装置に接続可能な装置であり、画像データを出力可能な装置である。画像表示装置１０１は、２つの第３通信部１０８，１０９を有する。画像出力装置１０３としては、例えば、パーソナルコンピュータを使用することができる。
【００２０】
図１では、画像出力装置１０３に画像表示装置１０１，１０２が接続されている。具体的には、ケーブル１０４を用いて、画像出力装置１０３の第３通信部１０８が画像表示装置１０１の第１通信部１０６に接続されている。そして、ケーブル１０５を用いて、画像出力装置１０３の第３通信部１０９が画像表示装置１０２の第１通信部１０７に接続されている。画像出力装置１０３は、ケーブル１０４を用いて第３通信部１０８から第１通信部１０６に画像データ（画像表示装置１０１で表示する画像データ）を出力する。そして、画像出力装置１０３は、ケーブル１０５を用いて第３通信部１０９から第１通信部１０７に画像データ（画像表示装置１０２で表示する画像データ）を出力する。
【００２１】
ケーブル１０４，１０５としては、双方向通信可能なケーブルを使用することができる。例えば、ケーブル１０４，１０５として、ＤｉｓｐｌａｙＰｏｒｔ（ＤＰ）規格のケーブル、ＨＤＭＩ規格のケーブル、ＤＶＩ規格のケーブル、等を使用することができる。
【００２２】
また、図１では、画像表示装置１０１と画像表示装置１０２とが互いに接続されている。具体的には、ケーブル１１０を用いて、画像表示装置１０１の第２通信部２１３が画像表示装置１０２の第２通信部２１４に接続されている。ケーブル１１０を用いて、画像表示装置１０１と画像表示装置１０２との間の双方向通信が行われる。ケーブル１１０としては、双方向通信可能なケーブルを使用することができる。
【００２３】
なお、画像表示装置の数は２つより多くてもよい。
なお、画像表示装置は複数の第１通信部を有していてもよい。
なお、画像出力装置が有する第３通信部の数は２つより多くてもよい。
なお、画像出力装置と画像表示装置の間の通信は無線で行われてもよい。同様に、画像表示装置と画像表示装置の間の通信は無線で行われてもよい。画像表示装置と画像表示装置の間の通信は、それらに接続されている画像出力装置を介して行われてもよい。
【００２４】
（画像表示装置１０１の構成）
画像表示装置１０１の構成について説明する。図２は、本実施例に係る画像表示システムの構成の一例を示す詳細図である。図２に示すように、画像表示装置１０１は、制御部２０１、表示部２０３、画像処理部２０５、情報記憶部２０７、不揮発性メモリ２０９、
ユーザインタフェース部２１１、第２通信部２１３、内部バス２１５、及び、第１通信部１０６を有する。
【００２５】
制御部２０１は、不揮発性メモリ２０９が記憶している制御プログラムに従って、画像表示装置１０１が有する各機能部の動作を制御する。
【００２６】
表示部２０３は、画像処理部２０５から出力された画像データに基づく画像を表示する。画像表示装置１０１が液晶表示装置である場合には、表示部２０３は、液晶パネルとバックライト部を有する。そして、画像処理部２０５から出力された画像データに基づいて、液晶パネルが有する各液晶素子の透過率を制御したり、バックライト部が有する各光源の発光輝度を制御したりすることにより、画像が表示される。
【００２７】
画像処理部２０５は、第１通信部１０６から出力された画像データに所定の画像処理を施し、所定の画像処理が施された画像データを表示部２０３に出力する。所定の画像処理は、例えば、第１通信部１０６から出力された画像データのデータフォーマットを表示部２０３で表示可能なデータフォーマットに変換するフォーマット変換処理である。
【００２８】
情報記憶部２０７は、第１通信部１０６に対応する画面構成情報を記憶する不揮発性メモリである。例えば、情報記憶部２０７は、第１通信部１０６に対応する画面構成情報を含むＤｉｓｐｌａｙＩＤ（Ｄｉｓｐｌａｙ  Ｉｄｅｎｔｉｆｉｃａｔｉｏｎ  Ｄａｔａ）を記憶する。
【００２９】
不揮発性メモリ２０９は、画像表示装置１０１の動作を制御する制御プログラム、画像処理部２０５において使用される画像処理パラメータ、等を記憶する。
【００３０】
ユーザインタフェース部２１１は、画像表示装置１０１に対するユーザ操作を受け付けるインタフェース部である。ユーザインタフェース部２１１は、例えば、画像表示装置１０１に設けられた物理キーに対するユーザ操作、表示部２０３で表示された画像（例えば、ＯＳＤ（Ｏｎ  Ｓｃｒｅｅｎ  Ｄｉｓｐｌａｙ）画像）に対するユーザ操作、等を受け付ける。
【００３１】
第２通信部２１３は、画像表示装置１０１と、画像表示装置１０１に接続されている他の画像表示装置と、の間の通信を行う。図２では、第２通信部２１３は、画像表示装置１０１と画像表示装置１０２と間の通信に利用される。本実施例では、第２通信部２１３は、画面構成情報の変更する（書き替える）指示を、他の画像表示装置に出力したり、他の画像表示装置から受信したりする。
なお、後述する通信線を用いることにより、複数の画像表示装置の間の通信として、画像出力装置を介した通信を実現することができる。
【００３２】
内部バス２１５は、画像表示装置１０１が有する機能部間のデータの伝送に使用されるバスである。
【００３３】
第１通信部１０６は、画像出力装置との間の通信（データの送受信）に使用可能な通信部である。図２では、第１通信部１０６は、ケーブル１０４を介して画像出力装置１０３の第３通信部１０８との間のデータの送受信を行う。
【００３４】
ケーブル１０４は、画像データ線２１７、通信線２１９、及び、接続検知線２２１を有する。画像データ線２１７は、画像データの伝送に使用されるラインであり、ＤＰ規格では“Ｌａｎｅ”と呼ばれる。画像データ線２１７として複数のＬａｎｅを使用することにより、画像データの高速伝送が可能となる。通信線２１９は、汎用的なデータ通信に使用
されるラインであり、例えば、画面構成情報を含むＤｉｓｐｌａｙＩＤなどの伝送に使用される。ＤＰ規格では、通信線２１９は、“ＡＵＸ−ＣＨ（Ａｕｘｉｌｉａｒｙ  Ｃｈａｎｎｅｌ）”と呼ばれる。接続検知線２２１は、ＨＰＤ（Ｈｏｔ  Ｐｌｕｇ  Ｄｅｔｅｃｔ）信号の伝送に使用されるＨＰＤラインである。画像出力装置１０３は、画像表示装置から送信されているＨＰＤ信号を監視することにより、当該画像表示装置の画像出力装置１０３に対する接続を検知することができる。
【００３５】
第１通信部１０６は、画像出力装置１０３の第３通信部１０８から画像データ線２１７を介して供給された画像データを、画像処理部２０５に出力する。第１通信部１０６は、第３通信部１０８から画面構成情報の取得を要求された場合に、第１通信部１０６に対応する画面構成情報を情報記憶部２０８から読み出し、読み出した画面構成情報を通信線２１９を介して第３通信部１０８に出力する。第１通信部１０６は、画像表示装置１０１の電源状態がオン状態である場合に、接続検知線２２１を介して第３通信部１０８に高電圧レベル（Ｈレベル）のＨＰＤ信号を出力する。また、第１通信部１０６は、画像表示装置１０１の電源状態がオフ状態である場合に、接続検知線２２１を介して第３通信部１０８に低電圧レベル（Ｌレベル）のＨＰＤ信号を出力する。
【００３６】
（画像表示装置１０２の構成）
画像表示装置１０２の構成について説明する。図２に示すように、画像表示装置１０２は、制御部２０２、表示部２０４、画像処理部２０６、情報記憶部２０８、不揮発性メモリ２１０、ユーザインタフェース部２１２、第２通信部２１４、内部バス２１６、及び、第１通信部１０７を有する。ケーブル１０５は、画像データ線２１８、通信線２２０、及び、接続検知線２２２を有する。
【００３７】
制御部２０２は、制御部２０１と同様の機能を有する。表示部２０４は、表示部２０３と同様の機能を有する。画像処理部２０６は、画像処理部２０５と同様の機能を有する。情報記憶部２０８は、情報記憶部２０７と同様の機能を有する。不揮発性メモリ２１０は、不揮発性メモリ２０９と同様の機能を有する。ユーザインタフェース部２１２は、ユーザインタフェース部２１１と同様の機能を有する。第２通信部２１４は、第２通信部２１３と同様の機能を有する。内部バス２１６は、内部バス２１５と同様の機能を有する。第１通信部１０７は、第１通信部１０６と同様の機能を有する。画像データ線２１８の用途は、画像データ線２１７と同じである。通信線２２０の用途は、通信線２１９と同じである。接続検知線２２２の用途は、接続検知線２２１と同じである。
【００３８】
（画像出力装置１０３の構成）
画像出力装置１０３の構成について説明する。図２に示すように、画像出力装置１０３は、ＣＰＵ２２３、第３通信部１０８，１０９、ＧＰＵ２２７、内部バス２３５、及び、記憶部２２６を有する。
【００３９】
ＣＰＵ（Ｃｅｎｔｒａｌ  Ｐｒｏｃｅｓｓｉｎｇ  Ｕｎｉｔ）２２３は、記憶部２２６が記憶しているＯＳプログラム（ＯＳ（オペレーティングシステム）のプログラム）を展開して実行することにより、画像出力装置１０３が有する各機能部の動作を制御する。また、ＣＰＵ２２３は、画像ビューワ等の様々なアプリケーションを実行する。
【００４０】
第３通信部１０８は、画像表示装置との間の通信に使用可能な通信部である。図２では、第３通信部１０８は、ケーブル１０４を介して画像表示装置１０１の第１通信部１０６との間のデータの送受信を行う。第３通信部１０８は、画像データ出力部２２９、情報取得部２３１、及び、接続検知部２３３を有する。
【００４１】
画像データ出力部２２９は、画像表示装置１０１（第３通信部１０８に接続されている
画像表示装置）で表示する画像データをＧＰＵ２２７から取得する。そして、画像データ出力部２２９は、取得した画像データを、ケーブル１０４の画像データ線２１７を介して画像表示装置１０１の第１通信部１０６に出力する。
【００４２】
情報取得部２３１は、ケーブル１０４の通信線２１９を介して第１通信部１０６に、画面構成情報の取得を要求する。そして、情報取得部２３１は、第１通信部１０６から、ケーブル１０４の通信線２１９を介して、第１通信部１０６に対応する画面構成情報を取得する。本実施例では、情報取得部２３１は、第３通信部１０８に対する画像表示装置の接続（通信可能な接続）が検知される度に、画面構成情報の取得の要求を行う。
【００４３】
接続検知部２３３は、第１通信部１０６からケーブル１０４の接続検知線２２１を介して供給されているＨＰＤ信号を監視することにより、第３通信部１０８に対する画像表示装置の接続を検知する。具体的には、接続検知部２３３は、供給されているＨＰＤ信号のレベルのＬレベルからＨレベルへの切り変わりを、第３通信部１０８に対する画像表示装置の接続の開始として検知する。そして、接続検知部２３３は、供給されているＨＰＤ信号のレベルのＨレベルからＬレベルへの切り変わりを、第３通信部１０８に対する画像表示装置の接続の終了（第３通信部１０８に対する画像表示装置の非接続の開始）として検知する。
【００４４】
第３通信部１０９は、第３通信部１０８と同様の機能を有する。第３通信部１０９は、画像データ出力部２３０、情報取得部２３２、及び、接続検知部２３４を有する。画像データ出力部２３０は、画像データ出力部２２９と同様の機能を有する。情報取得部２３２は、情報取得部２３１と同様の機能を有する。接続検知部２３４は、接続検知部２３３と同様の機能を有する。
【００４５】
ＧＰＵ２２７は、ＣＰＵ２２３の指示に従って、画像出力装置１０３に接続されている画像表示装置で表示する画像データを生成し、当該画像表示装置に接続されている第３通信部（画像データ出力部）に画像データを出力する。図２では、ＧＰＵ２２７は、画像表示装置１０１で表示する画像データと画像表示装置１０２で表示する画像データとを生成する。そして、ＧＰＵ２２７は、画像表示装置１０１で表示する画像データを画像データ出力部２２９に出力し、画像表示装置１０２で表示する画像データを画像データ出力部２３０に出力する。
【００４６】
内部バス２３５は、画像出力装置１０３が有する機能部間のデータの伝送に使用されるバスである。例えば、ＣＰＵ２２３から各機能部への指示が内部バス２３５を介して行われたり、ＧＰＵ２２７から画像データ出力部への画像データの伝送が内部バス２３５を介して行われたりする。
【００４７】
記憶部２２６は、不揮発性メモリと揮発性メモリを有する。揮発性メモリは、例えば、ＣＰＵ２２３が処理を行う際に、ワークメモリとして使用される。不揮発性メモリには、画像出力装置１０３で実行される様々なプログラムが記録されている。例えば、不揮発性メモリには、ＯＳプログラム、デスクトップ設定処理を行うプログラム、画像出力装置１０３が実行する各種アプリケーションのプログラム、種々のプリケーションや種々の処理で使用されるデータ、等が記録されている。不揮発性メモリとしては、磁気ディスク、光ディスク、半導体メモリ、等を使用することができる。
【００４８】
ＣＰＵ２２３は、情報解析部２２５とデスクトップ設定部２２４を有する。
情報解析部２２５は、通信部１０８，１０９の情報取得部２３１，２３２によって取得された画面構成情報を解析する。
デスクトップ設定部２２４は、情報解析部２２５の解析結果に従って、デスクトップの
設定を行う（デスクトップ設定処理）。デスクトップの設定は、画像表示装置が接続されている第３通信部毎に行われる。画面構成情報には、例えば、独立画面情報と部分画面情報がある。独立画面情報は、画像表示装置の画面が他の画像表示装置の画面から独立した画面（独立画面）であることを示す画面構成情報である。部分画面情報は、画像表示装置の画面が複数の画像表示装置の複数の画面からなる統合画面の一部の画面（部分画面）であることを示す画面構成情報である。デスクトップには、例えば、拡張デスクトップと統合デスクトップがある。拡張デスクトップは、１つの画像表示装置で表示されるデスクトップであり、統合デスクトップは、２つ以上の画像表示装置で表示されるデスクトップである。デスクトップ設定部２２４は、独立画面情報が取得された第３通信部に対して拡張デスクトップを設定し、部分画面情報が取得された第３通信部に対して、当該部分画面情報が示す部分画面に対応する統合デスクトップを設定する。
【００４９】
ＧＰＵ２２７は、デスクトップデータ生成部２２８を有する。デスクトップデータ生成部２２８は、画像表示装置が接続されている第３通信部毎に、その第３通信部に対して設定されているデスクトップに基づいて、当該第３通信部に接続されている画像表示装置で表示する画像データを生成する。具体的には、デスクトップデータ生成部２２８は、拡張デスクトップが設定されている第３通信部に対しては、１つのデスクトップの画像データを生成する。そして、デスクトップデータ生成部２２８は、統合デスクトップが設定されている第３通信部に対しては、当該統合デスクトップに対応する部分画面に表示すべき画像データ（１つのデスクトップの一部の画像データ）を生成する。
【００５０】
（画像表示装置１０１の制御部２０１の構成）
画像表示装置１０１の制御部２０１の構成について説明する。なお、画像表示装置１０２の制御部２０２の構成は、画像表示装置１０１の制御部２０１と同様であるため、その説明は省略する。図３に示すように、画像表示装置１０１の制御部２０１は、ユーザ操作検出部３０１、情報設定制御部３０２、情報設定部３０３、及び、候補情報取得部３０４を有する。
【００５１】
ユーザ操作検出部３０１は、画像表示装置１０１に対するユーザ操作を検出する。具体的には、ユーザインタフェース部２１１は、画像表示装置１０１に対するユーザ操作が行われた際に、当該ユーザ操作に応じた信号（ユーザ操作を表す操作情報）を出力する。ユーザ操作検出部３０１は、ユーザインタフェース部２１１から出力された信号（操作情報）を取得する。そして、ユーザ操作検出部３０１は、検出したユーザ操作に応じた信号を情報設定制御部３０２に出力する。ユーザ操作検出部３０１の出力信号は、ユーザインタフェース部２１１の出力信号と同じであってもよいし、異なっていてもよい。
【００５２】
情報設定制御部３０２は、ユーザ操作検出部３０１で検出されたユーザ操作に応じて、候補情報取得部３０４の動作、情報設定部３０３の動作、等を制御する。
【００５３】
候補情報取得部３０４は、情報設定制御部３０２からの指示に従って、不揮発性メモリ２０９に予め記録されている候補情報を不揮発性メモリ２０９から読み出す。候補情報は、画像表示装置１０１（第１通信部１０６）の画面構成情報の候補である。例えば、複数の候補情報のうち、画像表示装置１０１に対するユーザ操作に応じた候補情報が読み出される。第１通信部１０６の画面構成情報を変更する指示（変更指示）が第２通信部２１３によって受信された場合には、当該指示に応じた候補情報が読み出される。そして、候補情報取得部３０４は、読み出した候補情報を情報設定部３０３に出力する。図３では、候補情報は、候補情報取得部３０４から情報設定制御部３０２を介して情報設定部３０３に出力される。候補情報が書き替え可能な情報である場合には、候補情報取得部３０４は、画像表示装置１０１に対するユーザ操作に応じて、候補情報を書き替える処理を行うこともある。
【００５４】
情報設定部３０３は、情報設定制御部３０２からの指示に従って、画像表示装置１０１（第１通信部１０６）の画面構成情報を設定する。本実施例では、第１通信部１０６の画面構成情報を設定する処理は、情報記憶部２０７に画面構成情報を記録する処理である。本実施例では、情報設定部３０３は、候補情報取得部３０４から出力された候補情報を、第１通信部１０６の画面構成情報として設定する。そのため、本実施例では、第１通信部１０６の画面構成情報が、画像表示装置１０１に対するユーザ操作に応じて変更される。また、第１通信部１０６の画面構成情報を変更する変更指示が第２通信部２１３によって受信された場合には、当該変更指示に応じた候補情報に第１通信部１０６の画面構成情報が変更される。
【００５５】
また、情報設定部３０３は、画像表示装置１０１に対するユーザ操作に応じて第１通信部１０６の画面構成情報を変更した場合に、変更指示の出力を第２通信部２１３に指示する。具体的には、第１通信部１０６の変更後の画面構成情報に応じた画面構成情報に画像表示装置１０２（第１通信部１０７）の画面構成情報を変更する変更指示の出力が、第２通信部２１３に指示される。第２通信部２１３は、情報設定部３０３からの指示に従って、上記変更指示を画像表示装置１０２の第２通信部２１４に出力する。
【００５６】
（ＤｉｓｐｌａｙＩＤ）
本実施例に係るＤｉｓｐｌａｙＩＤについて説明する。
なお、本実施例に係るＤｉｓｐｌａｙＩＤの記述内容は、ＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）規格で規定されているものとする。
以下では、ＤｉｓｐｌａｙＩＤのバージョンが１．３である場合の例を説明する。
【００５７】
ＤｉｓｐｌａｙＩＤは、画像表示装置の基本ディスプレイパラメータ、画像表示装置に入力可能な画像データの解像度、等の対応フォーマット情報を含むデータである。また、画像表示装置の画面を部分画面として扱う際には、ＤｉｓｐｌａｙＩＤに、部分画面の配置等を示す部分画面情報が記述される。例えば、部分画面情報として、ＶＥＳＡ規格で定義されているＴｉｌｅｄ  Ｄｉｓｐｌａｙ  Ｔｏｐｏｌｏｇｙ  Ｄａｔａ  Ｂｌｏｃｋ（Ｔｉｌｅｄブロック）が記述される。本実施例では、画面構成情報がＴｉｌｅｄブロックである場合の例を説明する。画像表示装置の画面を独立画面として扱う際には、Ｔｉｌｅｄブロック以外の情報（例えば、対応フォーマット情報）を画面構成情報として使用することもできる。ＤｉｓｐｌａｙＩＤは、例えば、画像表示装置の各第１通信部に対して個別に設定される。
【００５８】
（Ｔｉｌｅｄブロック）
図４を参照して、Ｔｉｌｅｄブロック４００について説明する。
図４に示すように、Ｔｉｌｅｄブロック４００は、ＤｉｓｐｌａｙＩＤ４０６の一部である。図４に示すように、Ｔｉｌｅｄブロック４００は、Ｔｉｌｅｄ  Ｄｉｓｐｌａｙ  ａｎｄ  Ｔｉｌｅ  Ｃａｐａｂｉｌｉｔｉｅｓ４０１、Ｔｉｌｅｄ  Ｄｉｓｐｌａｙ  Ｔｏｐｏｌｏｇｙ４０２、Ｔｉｌｅ  Ｌｏｃａｔｉｏｎ４０３、Ｔｉｌｅ  Ｓｉｚｅ４０４、及び、Ｔｉｌｅｄ  Ｄｉｓｐｌａｙ  Ｔｏｐｏｌｏｇｙ  ＩＤ４０５を含む。
なお、本実施例では、一部の情報（データ）のみについて説明し、ＤｉｓｐｌａｙＩＤやＴｉｌｅｄブロックに含まれている他の情報についての説明は省略する。
【００５９】
Ｔｉｌｅｄ  Ｄｉｓｐｌａｙ  ａｎｄ  Ｔｉｌｅ  Ｃａｐａｂｉｌｉｔｉｅｓ４０１は、物理モニタ構成情報を含む。物理モニタ構成情報は、画像表示装置の画面全体が独立画面であるか部分画面であるかを示す。
Ｔｉｌｅｄ  Ｄｉｓｐｌａｙ  Ｔｏｐｏｌｏｇｙ４０２は、水平方向における部分画面
の数と垂直方向における部分画面の数とを表す情報である。本実施例では、Ｔｉｌｅｄ  Ｄｉｓｐｌａｙ  Ｔｏｐｏｌｏｇｙを“レイアウト情報”と呼ぶ。
Ｔｉｌｅ  Ｌｏｃａｔｉｏｎ４０３は、当該Ｔｉｌｅ  Ｌｏｃａｔｉｏｎ４０３に対応する部分画面の統合画面（複数の部分画面）に対する相対位置を表す情報である。本実施例では、Ｔｉｌｅ  Ｌｏｃａｔｉｏｎを“位置情報”と呼ぶ。
Ｔｉｌｅ  Ｓｉｚｅ４０４は、当該Ｔｉｌｅ  Ｓｉｚｅ４０４に対応する部分画面の解像度を表す情報である。本実施例では、Ｔｉｌｅ  Ｓｉｚｅを“解像度情報”と呼ぶ。
Ｔｉｌｅｄ  Ｄｉｓｐｌａｙ  Ｔｏｐｏｌｏｇｙ  ＩＤ４０５は、画面構成情報であるＴｉｌｅｄブロックを識別するＩＤ情報（識別子）である。本実施例では、Ｔｉｌｅｄ  Ｄｉｓｐｌａｙ  Ｔｏｐｏｌｏｇｙ  ＩＤを“画面構成情報ＩＤ”と呼ぶ。本実施例では、同じ統合画面を構成する部分画面を示す複数の画面構成情報に対して、同じ画面構成情報ＩＤが割り当てられるものとする。画像出力装置は、画面構想情報ＩＤを参照することにより、部分画面がどの統合画面の一部であるのかを把握することができる。
【００６０】
（画面構成情報の具体例）
画面構成情報の具体例について、図５，図６を用いて説明する。図５，６は、画面構成情報の一例を示す図である。図５は、１台の画像表示装置を使用した場合の例を示し、図６は、２台の画像表示装置を使用した場合の例を示す。
【００６１】
図５の画像表示装置５０１は、４つの第１通信部５０３〜５０６を有する。画面構成情報５０７は第１通信部５０３に、画面構成情報５０８は第１通信部５０４に、画面構成情報５０９は第１通信部５０５に、画面構成情報５１０は第１通信部５０６に対応する。画面構成情報５０７〜５１０は、以下の状況を想定した場合の画面構成情報である。
・画像表示装置５０１の画面５０２が、独立画面であり、水平方向２個×垂直方向２個の計４個の部分画面５１１〜５１４からなる統合画面である。
・第１通信部５０３で取得された画像データは部分画面５１１に表示される。
・第１通信部５０４で取得された画像データは部分画面５１２に表示される。
・第１通信部５０５で取得された画像データは部分画面５１３に表示される。
・第１通信部５０６で取得された画像データは部分画面５１４に表示される。
【００６２】
画面５０２は独立画面である。そのため、画面構成情報５０７〜５１０の物理モニタ構成情報として、画面全体が独立画面であることを示す情報“１”が設定されている。
【００６３】
画面５０２は、水平方向２個×垂直方向２個の計４個の部分画面５１１〜５１４からなる統合画面である。そのため、画面構成情報５０７〜５１０のレイアウト情報として、（水平方向における部分画面の数，垂直方向における部分画面の数）＝（２，２）が設定されている。
【００６４】
部分画面５１１は、１行１列目の部分画面である。そのため、画面構成情報５０７の位置情報として、（水平方向における位置，垂直方向における位置）＝（１，１）が設定されている。同様に、画面構成情報５０８の位置情報として（２，１）が設定されており、画面構成情報５０９の位置情報として（１，２）が設定されており、画面構成情報５１０の位置情報として（２，２）が設定されている。
【００６５】
部分画面５１１のサイズは、（水平方向におけるサイズ（幅），垂直方向におけるサイズ（高さ））＝（ｗ１，ｈ１）である。そのため、画面構成情報５０７の解像度情報として、（幅，高さ）＝（ｗ１，ｈ１）が設定されている。同様に、画面構成情報５０８の解像度情報として（ｗ２，ｈ２）が設定されており、画面構成情報５０９の解像度情報として（ｗ３，ｈ３）が設定されており、画面構成情報５１０の解像度情報として（ｗ４，ｈ４）が設定されている。
【００６６】
部分画面５１１〜５１４は同じ統合画面５０２の一部である。そのため、画面構成情報５０７〜５１０の画面構成情報ＩＤとして、同じ情報“０００１”が設定されている。
【００６７】
図５の画面構成情報５０７〜５１０を設定することにより、画像表示装置５０１に接続されている画像出力装置は、画面構成情報５０７〜５１０に基づいて画像データを生成することができる。具体的には、画像出力装置は、第１通信部５０３〜５０６のそれぞれに出力する画像データとして、統合デスクトップの画像データを生成することができる。その結果、画面５０２全体に１つのデスクトップを表示することができる。
【００６８】
図６において、画像表示装置６０１は１つの第１通信部６０４を有し、画像表示装置６０２は１つの第１通信部６０５をする。画面構成情報６０６は第１通信部６０４に、画面構成情報６０７は第１通信部６０５に対応する。画面構成情報６０６，６０７は、以下の状況を想定した場合の画面構成情報である。
・画像表示装置６０１の画面６０８と画像表示装置６０２の画面６０９は、部分画面である。
・画面６０８と画面６０９により、水平方向２個×垂直方向１個の計２個の部分画面を有する統合画面６０３が構成される。
・第１通信部６０４で取得された画像データは、画面６０８全体に表示される。
・第１通信部６０５で取得された画像データは、画面６０９全体に表示される。
【００６９】
画面６０８，６０９は部分画面である。そのため、画面構成情報６０６，６０７の物理モニタ構成情報として、画面全体が部分画面であることを示す情報“０”が設定されている。
【００７０】
画面６０３は、水平方向２個×垂直方向１個の計２個の部分画面６０８，６０９からなる統合画面である。そのため、画面構成情報６０６，６０７のレイアウト情報として、（２，１）が設定されている。
【００７１】
部分画面６０８は、１行１列目の部分画面である。そのため、画面構成情報６０６の位置情報として（１，１）が設定されている。同様に、画面構成情報６０７の位置情報として（２，１）が設定されている。
【００７２】
部分画面６０８のサイズは（ｗ５，ｈ５）である。そのため、画面構成情報６０６の解像度情報として（ｗ５，ｈ５）が設定されている。同様に、画面構成情報６０７の解像度情報として（ｗ６，ｈ６）が設定されている。
【００７３】
部分画面６０８，６０９は同じ統合画面６０３の一部である。そのため、画面構成情報６０６，６０７の画面構成情報ＩＤとして、同じ情報“０００２”が設定されている。
【００７４】
図６の画面構成情報６０６，６０７を設定することにより、画像表示装置６０１，６０２に接続されている画像出力装置は、画面構成情報６０６，６０７に基づいて画像データを生成することができる。具体的には、画像出力装置は、第１通信部６０４，６０５のそれぞれに出力する画像データとして、統合デスクトップの画像データを生成することができる。その結果、統合画面６０３全体に１つのデスクトップを表示することができる。
【００７５】
（候補情報の具体例）
候補情報（画面構成情報の候補）の具体例について、図７を用いて説明する。図７は、画像表示装置１０１，１０２の候補情報の一例を示す図である。図７には、画像表示装置１０１，１０２も示されている。図７では、画像表示装置１０１は、物理キーであるユー
ザインタフェース部２１１を有し、画像表示装置１０２は、物理キーであるユーザインタフェース部２１２を有している。
【００７６】
図７において、候補情報７０１，７０３は、画像表示装置１０１が有する第１通信部１０６の画面構成情報の候補である。候補情報７０１は、画像表示装置１０１の画面が他の画像表示装置の画面から独立した画面（独立画面）であることを示す独立画面情報（第１情報）である。候補情報７０３は、画像表示装置１０１の画面が複数の画像表示装置の複数の画面からなる統合画面の一部の画面（部分画面）であることを示す部分画面情報（第２情報）である。本実施例では、候補情報７０１と候補情報７０３のいずれかが、第１通信部１０６の画面構成情報として設定される。また、本実施例では、初期状態において、候補情報７０１が第１通信部１０６の画面構成情報として設定されている。そして、本実施例では、第１通信部１０６の画面構成情報を変更する指示を画像表示装置１０１に入力するユーザ操作が行われる度に、第１通信部１０６の画面構成情報が、候補情報７０１と候補情報７０３の間で交互に切り替えられる。第１通信部１０６の画面構成情報を変更する指示を画像表示装置１０１に入力するユーザ操作は、例えば、画像表示装置１０１の物理キー２１１を押下するユーザ操作である。第１通信部１０６の画面構成情報を変更する指示を画像表示装置１０１に入力するユーザ操作は、変更後の画面構成情報を指定するユーザ操作であってもよい。
【００７７】
図７において、候補情報７０２，７０４は、画像表示装置１０２が有する第１通信部１０７の画面構成情報の候補である。候補情報７０２は、画像表示装置１０２の画面が他の画像表示装置の画面から独立した画面（独立画面）であることを示す独立画面情報（第３情報）である。候補情報７０４は、画像表示装置１０２の画面が複数の画像表示装置の複数の画面からなる統合画面の一部の画面（部分画面）であることを示す部分画面情報（第４情報）である。本実施例では、候補情報７０２と候補情報７０４のいずれかが、第１通信部１０７の画面構成情報として設定される。また、本実施例では、初期状態において、候補情報７０２が第１通信部１０７の画面構成情報として設定されている。そして、本実施例では、第１通信部１０７の画面構成情報を変更する指示を画像表示装置１０２に入力するユーザ操作が行われる度に、第１通信部１０７の画面構成情報が、候補情報７０２と候補情報７０４の間で交互に切り替えられる。第１通信部１０７の画面構成情報を変更する指示を画像表示装置１０２に入力するユーザ操作は、例えば、画像表示装置１０２の物理キー２１２を押下するユーザ操作である。第１通信部１０６の画面構成情報を変更する指示を画像表示装置１０２に入力するユーザ操作は、変更後の画面構成情報を指定するユーザ操作であってもよい。
【００７８】
（画像表示装置１０１，１０２の動作）
画像表示装置１０１，１０２の動作の一例について、図８を用いて説明する。図８は、画像表示装置１０１に対するユーザ操作に応じて画像表示装置１０１，１０２の画面構成情報を変更する動作の一例を示すフローチャートである。
【００７９】
まず、Ｓ８０１にて、画像表示装置１０１のユーザ操作検出部３０１が、画像表示装置１０１のユーザインタフェース部２１１の出力信号を監視する（ユーザ操作の監視）。
次に、Ｓ８０２にて、画像表示装置１０１のユーザ操作検出部３０１が、画像表示装置１０１に対するユーザ操作が行われたか否かを判定する。例えば、ユーザインタフェース部２１１の出力信号が検出された場合には、画像表示装置１０１に対するユーザ操作が行われたと判定される。ユーザインタフェース部２１１の出力信号が検出されていない場合には、画像表示装置１０１に対するユーザ操作が行われていないと判定される。画像表示装置１０１に対するユーザ操作が行われた場合にはＳ８０３に処理が進められ、画像表示装置１０１に対するユーザ操作が行われていない場合にはＳ８０１に処理が戻される。
【００８０】
Ｓ８０３では、画像表示装置１０１のユーザ操作検出部３０１が、ユーザインタフェース部２１１の出力信号を解析する（ユーザ操作の解析）。
次に、Ｓ８０４にて、画像表示装置１０１のユーザ操作検出部３０１が、Ｓ８０３の解析結果に基づいて、Ｓ８０２で検出されたユーザ操作が変更操作であるか否かを判定する。ここで、変更操作は、画像表示装置１０１の第１通信部１０６の画面構成情報を変更するユーザ操作である。Ｓ８０２で検出されたユーザ操作が変更操作である場合には、Ｓ８０５に処理が進められる。Ｓ８０２で検出されたユーザ操作が変更操作でない場合には、ユーザ操作に応じた他の処理が画像表示装置１０１で行われ、Ｓ８０１に処理が戻される。
【００８１】
Ｓ８０５では、画像表示装置１０１の情報設定制御部３０２が、ＨＰＤ信号のレベルのＨレベルからＬレベルへの切り替えを、第１通信部１０６に指示する。それにより、第１通信部１０６からケーブル１０４の接続検知線２２１に出力されているＨＰＤ信号のレベルが、ＨレベルからＬレベルに切り替えられる。その結果、画像出力装置１０３の接続検知部２３３は、画像出力装置１０３に対する画像表示装置１０１の非接続を検知する。
【００８２】
次に、Ｓ８０６にて、画像表示装置１０１の候補情報取得部３０４が、Ｓ８０２で検出されたユーザ操作に応じた候補情報を、画像表示装置１０１の不揮発性メモリ２０９から読み出す。ここでは、画像表示装置１０１の状態が初期状態であったとする。即ち、図７の候補情報７０１が、第１通信部１０６の画面構成情報として設定されていたとする。そのため、図７の候補情報７０３が読み出される。なお、候補情報７０３が、第１通信部１０６の画面構成情報として設定されていた場合には、候補情報７０１が読み出される。
【００８３】
そして、Ｓ８０７にて、画像表示装置１０１の情報設定部３０３が、Ｓ８０６で読み出された候補情報を、第１通信部１０６の画面構成情報として設定する。ここでは、候補情報７０１が第１通信部１０６の画面構成情報として設定されており、Ｓ８０６で読み出された候補情報が候補情報７０３である。そのため、第１通信部１０６の画面構成情報が、候補情報７０１から候補情報７０３に変更される。なお、候補情報７０３が第１通信部１０６の画面構成情報として設定されており、且つ、Ｓ８０６で読み出された候補情報が候補情報７０１である場合には、第１通信部１０６の画面構成情報が、候補情報７０３から候補情報７０１に変更される。
【００８４】
次に、Ｓ８０８にて、画像表示装置１０１の情報設定部３０３が、変更指示の出力を、画像表示装置１０１の第２通信部２１３に指示する。それにより、第２通信部２１３から画像表示装置１０２の第２通信部２１４に変更指示が出力される。本実施例では、第１通信部１０６の画面構成情報がユーザ操作に応じて候補情報７０１から候補情報７０３に変更された場合に、画像表示装置１０２の第１通信部１０７の画面構成情報を図７の候補情報７０４に変更する変更指示が出力される。また、本実施例では、第１通信部１０６の画面構成情報がユーザ操作に応じて候補情報７０３から候補情報７０１に変更された場合に、画像表示装置１０２の第１通信部１０７の画面構成情報を図７の候補情報７０２に変更する変更指示が出力される。ここでは、第１通信部１０６の画面構成情報が候補情報７０１から候補情報７０３に変更されている。そのため、画像表示装置１０２の第１通信部１０７の画面構成情報を候補情報７０４に変更する変更指示が、第２通信部２１３から第２通信部２１４に出力される。
【００８５】
そして、画像表示装置１０２が、第２通信部２１４によって変更指示が受信されたことに応じて、Ｓ８０９〜Ｓ８１１の処理を行う。
【００８６】
Ｓ８０９では、画像表示装置１０２の情報設定制御部３０２が、ＨＰＤ信号のレベルのＨレベルからＬレベルへの切り替えを、画像表示装置１０２の第１通信部１０７に指示す
る。それにより、第１通信部１０７からケーブル１０５の接続検知線２２２に出力されているＨＰＤ信号のレベルが、ＨレベルからＬレベルに切り替えられる。その結果、画像出力装置１０３の接続検知部２３４は、画像出力装置１０３に対する画像表示装置１０２の非接続を検知する。
【００８７】
Ｓ８１０では、画像表示装置１０２の候補情報取得部３０４が、第２通信部２１４によって受信された変更指示に応じた候補情報を、画像表示装置１０２の不揮発性メモリ２１０から読み出す。ここでは、第１通信部１０７の画面構成情報を候補情報７０４に変更する変更指示が受信されたため、候補情報７０４が読み出される。なお、第１通信部１０７の画面構成情報を候補情報７０２に変更する変更指示が受信された場合には、候補情報７０２が読み出される。
【００８８】
Ｓ８１１では、画像表示装置１０２の情報設定部３０３が、Ｓ８１０で読み出された候補情報を、第１通信部１０７の画面構成情報として設定する。ここでは、候補情報７０２が第１通信部１０７の画面構成情報として設定されており、Ｓ８１０で読み出された候補情報が候補情報７０４であったとする。そのため、第１通信部１０７の画面構成情報が、候補情報７０２から候補情報７０４に変更される。
【００８９】
次に、Ｓ８１２にて、画像表示装置１０１の情報設定制御部３０２が、画像表示装置１０１の画面構成情報の変更と画像表示装置１０２の画面構成情報の変更との両方が完了したか否かを判定する。例えば、画像表示装置１０２の画面構成情報の変更（Ｓ８１１の処理）が完了すると、画像表示装置１０２の画面構成情報の変更が完了したことを示す変更完了情報が、第２通信部２１４から第２通信部２１３に出力される。そして、画像表示装置１０１の情報設定制御部３０２は、第２通信部２１３による変更完了信号の受信を、画像表示装置１０２の画面構成情報の変更の完了として検出する。画像表示装置１０１の画面構成情報の変更と画像表示装置１０２の画面構成情報の変更との両方が完了するまで、Ｓ８１２の処理が繰り返し行われる。そして、画像表示装置１０１の画面構成情報の変更と画像表示装置１０２の画面構成情報の変更との両方が完了すると、Ｓ８１３に処理が進められる。
【００９０】
Ｓ８１３では、画像表示装置１０１の情報設定制御部３０２が、ＨＰＤ信号のレベルのＬレベルからＨレベルへの切り替えを、第１通信部１０６に指示する。それにより、第１通信部１０６からケーブル１０４の接続検知線２２１に出力されているＨＰＤ信号のレベルが、ＬレベルからＨレベルに切り替えられる。その結果、画像出力装置１０３の接続検知部２３３は、画像出力装置１０３に対する画像表示装置１０１の接続を検知する。
【００９１】
次に、Ｓ８１４にて、画像表示装置１０１の情報設定制御部３０２が、ＨＰＤ信号のレベルをＬレベルからＨレベルへ切り替える切り替え指示の出力を、第２通信部２１３に指示する。それにより、第２通信部２１３から第２通信部２１４に上記切り替え指示が出力される。
【００９２】
そして、Ｓ８１５にて、画像表示装置１０２の情報設定制御部３０２が、第２通信部２１４によって上記切り替え指示が受信されたことに応じて、ＨＰＤ信号のレベルのＬレベルからＨレベルへの切り替えを、第１通信部１０７に指示する。それにより、第１通信部１０７からケーブル１０５の接続検知線２２２に出力されているＨＰＤ信号のレベルが、ＬレベルからＨレベルに切り替えられる。その結果、画像出力装置１０３の接続検知部２３４は、画像出力装置１０３に対する画像表示装置１０２の接続を検知する。
【００９３】
以上の動作により、画像表示装置１０１に対するユーザ操作に応じて、画像表示装置１０１の画面構成情報と画像表示装置１０２の画面構成情報との両方が変更される。図８の
動作と同様の動作により、画像表示装置１０２に対するユーザ操作に応じて画像表示装置１０１，１０２の画面構成情報を変更することもできる。
【００９４】
なお、画像表示装置１０１，１０２の動作は図８の動作に限らない。
例えば、図８の例では、各画像表示装置に複数の候補情報が予め記録されており、予め記録された複数の候補情報のうちの１つを記憶部から読み出し、読み出した候補情報を画面構成情報として設定する例を説明したが、これに限らない。例えば、Ｓ８０８において、画像表示装置１０１は、画像表示装置１０２に対して設定すべき候補情報を、画像表示装置１０２に通知してもよい。そして、画像表示装置１０２は、画像表示装置１０１から通知された候補情報を、画像表示装置１０２の画面構成情報として設定してもよい。
また、図８のＳ８１２やＳ８１４の処理は行われなくてもよい。例えば、各画像表示装置が、自装置に対する画面構成情報の変更が完了したタイミングで、ＨＰＤ信号のレベルをＨレベルに切り替えてもよい。
【００９５】
（画像出力装置１０３の動作）
画像出力装置１０３の動作の一例について、図９を用いて説明する。図９は、画像出力装置１０３の動作の一例を示すフローチャートである。ここでは、図９の動作開始時に、画像出力装置１０３が画像表示装置１０１，１０２に画像データを出力しているものとする。
【００９６】
まず、Ｓ９０１にて、接続検知部２３３，２３４が、供給されているＨＰＤ信号を監視する。接続検知部２３３は、画像表示装置１０１の第１通信部１０６から出力されているＨＰＤ信号を監視し、接続検知部２３４は、画像表示装置１０２の第１通信部１０７から出力されているＨＰＤ信号を監視する。
【００９７】
次に、Ｓ９０２にて、接続検知部２３３，２３４が、供給されているＨＰＤ信号のレベルのＨレベルからＬレベルへの切り替わりが生じたか否かを判定する。接続検知部２３３に供給されているＨＰＤ信号のレベルの上記切り替わりと、接続検知部２３４に供給されているＨＰＤ信号のレベルの上記切り替わりと、の少なくとも一方が生じた場合には、Ｓ９０３に処理が進められる。それ以外の場合には、Ｓ９０１に処理が戻される。
【００９８】
Ｓ９０３では、ＨＰＤ信号のレベルがＨレベルからＬレベルへ切り替わった接続検知部に対応する画像データ出力部が、画像データの出力を停止する。接続検知部２３３に供給されているＨＰＤ信号のレベルがＨレベルからＬレベルへ切り替わった場合には、画像データ出力部２２９が、画像表示装置１０１への画像データの出力を停止する。接続検知部２３４に供給されているＨＰＤ信号のレベルがＨレベルからＬレベルへ切り替わった場合には、画像データ出力部２３０が、画像表示装置１０２への画像データの出力を停止する。
【００９９】
次に、Ｓ９０４にて、接続検知部２３３，２３４が、供給されているＨＰＤ信号を監視する。なお、図９では、Ｓ９０１やＳ９０４のように、ＨＰＤ信号を監視する処理が複数回に分けて示されているが、ＨＰＤ信号を監視する処理は常時行われる。
【０１００】
そして、Ｓ９０５にて、接続検知部２３３，２３４が、供給されているＨＰＤ信号のレベルのＬレベルからＨレベルへの切り替わりが生じたか否かを判定する。接続検知部２３３に供給されているＨＰＤ信号のレベルの上記切り替わりと、接続検知部２３４に供給されているＨＰＤ信号のレベルの上記切り替わりと、の少なくとも一方が生じた場合には、Ｓ９０６に処理が進められる。それ以外の場合には、Ｓ９０４に処理が戻される。本実施例では、ユーザ操作に応じて画像表示装置の画面構成情報が変更された場合に、ＨＰＤ信号のレベルが、ＨレベルからＬレベルに切り替わった後に、ＬレベルからＨレベルに切り
替わる。そのため、Ｓ９０５の処理は、“画面構成情報の変更を検出する処理”と言うこともできる。
【０１０１】
次に、Ｓ９０６にて、ＨＰＤ信号のレベルがＬレベルからＨレベルへ切り替わった接続検知部に対応する情報取得部が、画面構成情報を取得する。接続検知部２３３に供給されているＨＰＤ信号のレベルがＬレベルからＨレベルへ切り替わった場合には、情報取得部２３１が、画像表示装置１０１から画面構成情報を取得する。接続検知部２３４に供給されているＨＰＤ信号のレベルがＬレベルからＨレベルへ切り替わった場合には、情報取得部２３２が、画像表示装置１０２から画面構成情報を取得する。画面構成情報が変更された場合には、変更後の画面構成情報が取得される。
【０１０２】
そして、Ｓ９０７にて、ＨＰＤ信号のレベルがＬレベルからＨレベルへ切り替わった接続検知部に対応する情報取得部が、画面構成情報を取得する処理（Ｓ９０６の処理）が完了したか否かを判定する。画面構成情報を取得する処理が完了するまで、Ｓ９０７の処理が繰り返し行われる。そして、画面構成情報を取得する処理が完了すると、Ｓ９０８に処理が進められる。
【０１０３】
Ｓ９０８では、情報解析部２２５が、Ｓ９０６で取得された画面構成情報を解析する。
【０１０４】
次に、Ｓ９０９にて、デスクトップ設定部２２４が、Ｓ９０８の解析結果に基づいて、ＨＰＤ信号のレベルがＬレベルからＨレベルへ切り替わった接続検知部を有する第３通信部に対して、デスクトップを設定（更新）する。ここで、ユーザ操作に応じて、画像表示装置１０１の画面構成情報が候補情報７０１から候補情報７０３に、画像表示装置１０２の画面構成情報が候補情報７０２から候補情報７０４に変更された場合を考える。この場合には、候補情報７０３，７０４が部分画面情報であるため、第３通信部１０８，１０９に統合デスクトップが設定される。次に、ユーザ操作に応じて、画像表示装置１０１の画面構成情報が候補情報７０３から候補情報７０１に、画像表示装置１０２の画面構成情報が候補情報７０４から候補情報７０２に変更された場合を考える。この場合には、候補情報７０１，７０２が独立画面情報であるため、第３通信部１０８，１０９に拡張デスクトップが設定される。
【０１０５】
そして、Ｓ９１０にて、デスクトップデータ生成部２２８が、ＨＰＤ信号のレベルがＬレベルからＨレベルへ切り替わった接続検知部を有する第３通信部について、デスクトップデータを生成する。デスクトップデータは、デスクトップの一部または全部を示す画像データであり、Ｓ９０９で設定されたデスクトップに基づいて生成される。拡張デスクトップが設定されている第３通信部に対しては、１つのデスクトップの画像データが生成される。統合デスクトップが設定されている第３通信部に対しては、１つのデスクトップの一部の画像データ（設定されている統合デスクトップに対応する部分画面に表示すべき画像データ）が生成される。
【０１０６】
次に、Ｓ９１１にて、ＨＰＤ信号のレベルがＬレベルからＨレベルへ切り替わった接続検知部に対応する画像データ出力部が、Ｓ９１０で生成された画像データを出力する。接続検知部２３３に供給されているＨＰＤ信号のレベルがＬレベルからＨレベルへ切り替わった場合には、画像データ出力部２２９が、第３通信部１０８に対して生成された画像データを画像表示装置１０１に出力する。接続検知部２３４に供給されているＨＰＤ信号のレベルがＬレベルからＨレベルへ切り替わった場合には、画像データ出力部２３０が、第３通信部１０９に対して生成された画像データを画像表示装置１０２に出力する。画面構成情報が変更された場合には、Ｓ９１１の処理により、画像表示装置に出力する画像データが、変更後の画面構成情報に基づく画像データに更新される。
【０１０７】
（本実施例の効果）
本実施例の効果について、図１０を用いて説明する。図１０は、図８，９に示す動作によって、画像表示装置１０１，１０２の表示が変更される様子の一例を示す。図１０は、図８に示す動作によって、第１通信部１０６の画面構成情報が図７の候補情報７０１から候補情報７０３に変更され、第１通信部１０７の画面構成情報が図７の候補情報７０２から候補情報７０４に変更された場合の例を示す。
【０１０８】
図１０に示すように、画面構成情報がユーザ操作に応じて変更される前は、第１通信部１０６に接続されている第３通信部１０８に対して、拡張デスクトップ１００１が設定されている。そして、第１通信部１０７に接続されている第３通信部１０９に対して、拡張デスクトップ１００２が設定されている。そのため、画像表示装置１０１の画面と画像表示装置１０２の画面のそれぞれに１つのデスクトップが表示されている。
【０１０９】
そして、本実施例では、画像表示装置１０１と画像表示装置１０２の一方の画面構成情報がユーザ操作に応じて変更されると、それに連動して他方の画面構成情報も変更される。例えば、ユーザ操作に応じて画像表示装置１０１の画面構成情報が候補情報７０１から候補情報７０２にユーザ操作に応じて変更されると、それに連動して画像表示装置１０２の画面構成情報が候補情報７０２から候補情報７０４に変更される。そして、画面構成情報が変更されると、変更後の画面構成情報に基づいて、デスクトップの設定が更新される。その結果、図１０に示すように、画面構成情報がユーザ操作に応じて変更されることに伴い、第３通信部１０８に対して設定されているデスクトップが、拡張デスクトップ１００１から統合デスクトップ１００３に変更される。そして、第３通信部１０９に対して設定されているデスクトップが、拡張デスクトップ１００２から統合デスクトップ１００４に変更される。そのため、画像表示装置１０１の画面と画像表示装置１０２の画面のそれぞれに１つのデスクトップの一部が表示されるように、画像表示装置１０１と画像表示装置１０２の表示が変更される。具体的には、画像表示装置１０１の画面と画像表示装置１０２の画面とからなる統合画面に１つのデスクトップが表示されるように、画像表示装置１０１と画像表示装置１０２の表示が変更される。
【０１１０】
従来は、画像表示装置１０１と画像表示装置１０２の画面構成情報を変更するためには、画像表示装置１０１と画像表示装置１０２に対するユーザ操作が必要であった。このようなユーザ操作は、画像表示装置の数が多いほど大きいユーザ負荷（ユーザの負荷）を招く。本実施例では、画像表示装置１０１と画像表示装置１０２の一方に対するユーザ操作だけで、画像表示装置１０１と画像表示装置１０２の画面構成情報を変更することができる。その結果、ユーザ負荷を低減することができる。
【０１１１】
以上述べたように、本実施例によれば、第１表示装置の画面構成情報がユーザ操作に応じて変更されたことに連動して、第２表示装置の画面構成情報も変更される。それにより、複数の画像表示装置のそれぞれの画面構成情報を容易に変更することができる。具体的には、各画像表示装置の画面構成情報を個別に変更するという煩雑なユーザ操作を必要とせずに、１台の画像表示装置の画面構成情報を変更するユーザ操作だけで、各画像表示装置の画面構成情報を変更することができる。その結果、各画像表示装置の画面構成情報を変更する際のユーザ負荷を低減することもできる。
【０１１２】
＜実施例２＞
以下、本発明の実施例２に係る画像表示システム及びその制御方法について説明する。本実施例では、画像表示装置が複数の第１通信部を有する場合の例を説明する。なお、実施例１と同様の構成や処理については、説明を省略する。
【０１１３】
（画像表示システムの構成）
本実施例に係る画像表示システムの構成を大まかに説明する。図１１は、本実施例に係る画像表示システムの構成の一例を示す概略図である。図１１に示すように、本実施例に係る画像表示システムは、画像表示装置１１０１（第２表示装置）、画像表示装置１１０２（第１表示装置）、画像出力装置１１０３、及び、画像出力装置１０３を有する。なお、図１１において、実施例１と同じ装置や機能部には実施例１と同じ符号を付し、その説明は省略する。
【０１１４】
画像表示装置１１０１，１１０２は、外部装置に接続可能な装置であり、画像データに基づく画像を表示可能な装置である。画像表示装置１１０１は、２つの第１通信部１１０４，１１０５を有する。画像表示装置１１０１の他の構成は、実施例１の画像表示装置１０１と同じである。画像表示装置１１０２は、２つの第１通信部１１０６，１１０７を有する。画像表示装置１１０２の他の構成は、実施例１の画像表示装置１０２と同じである。なお、画像表示装置１１０１，１１０２は、２つより多くの第１通信部を有していてもよい。
【０１１５】
画像出力装置１１０３は、外部装置に接続可能な装置であり、画像データを出力可能な装置である。画像出力装置１１０３は、１つの第３通信部１１１１を有する。画像出力装置１１０３の他の構成は、画像出力装置１０３と同じである。
【０１１６】
図１１では、画像出力装置１０３に画像表示装置１１０１，１１０２が接続されており、画像出力装置１１０３に画像表示装置１１０２が接続されている。具体的には、ケーブル１１０８を用いて、画像出力装置１０３の第３通信部１０８が画像表示装置１１０１の第１通信部１１０４に接続されている。ケーブル１１０９を用いて、画像出力装置１０３の第３通信部１０９が画像表示装置１１０２の第１通信部１１０６に接続されている。そして、ケーブル１１１０を用いて、画像出力装置１１０３の第３通信部１１１１に画像表示装置１１０２の第１通信部１１０７が接続されている。ケーブル１１０８，１１０９，１１１０としては、実施例１のケーブル１０４，１０５と同じケーブルを使用することができる。
【０１１７】
また、図１１では、画像表示装置１１０１と画像表示装置１１０２とが互いに接続されている。具体的には、ケーブル１１１２を用いて、画像表示装置１１０１の第２通信部２１３が画像表示装置１１０２の第２通信部２１４に接続されている。ケーブル１１１２としては、実施例１のケーブル１１０と同じケーブルを使用することができる。
【０１１８】
本実施例では、ユーザは、ユーザインタフェース部２１１を用いて、表示用の画像データを取得する第１通信部を第１通信部１１０４と第１通信部１１０５の間で切り替える指示を画像表示装置１１０１に入力するユーザ操作を行うことができる。換言すれば、ユーザは、ユーザインタフェース部２１１を用いて、表示に使用する第１通信部を第１通信部１１０４と第１通信部１１０５の間で切り替えるユーザ操作を行うことができる。図１１では、ユーザインタフェース部２１１として物理キーが示されている。表示に使用する第１通信部を第１通信部１１０４と第１通信部１１０５の間で切り替えるユーザ操作は、例えば、物理キー２１１を押下するユーザ操作である。
【０１１９】
また、ユーザは、ユーザインタフェース部２１２を用いて、表示に使用する第１通信部を第１通信部１１０６と第１通信部１１０７の間で切り替えるユーザ操作を行うことができる。図１１では、ユーザインタフェース部２１２として物理キーが示されている。表示に使用する第１通信部を第１通信部１１０６と第１通信部１１０７の間で切り替えるユーザ操作は、例えば、物理キー２１２を押下するユーザ操作である。
【０１２０】
画像表示装置では、表示に使用する第１通信部によって取得された画像データに基づく
画像が表示される。
なお、表示に使用する第１通信部を切り替えるユーザ操作は、ケーブルの抜き差しによって、画像表示装置に接続されている画像出力装置を変更するユーザ操作であってもよい。
【０１２１】
（候補情報の具体例）
候補情報（画面構成情報の候補）の具体例について、図１２を用いて説明する。図１２は、画像表示装置１１０１，１１０２の候補情報の一例を示す図である。図１２には、画像表示装置１１０１，１１０２も示されている。
【０１２２】
図１２において、候補情報１２０１，１２０５は、画像表示装置１１０１が有する第１通信部１１０４の画面構成情報の候補である。候補情報１２０１は独立画面情報であり、候補情報１２０５は部分画面情報である。本実施例では、候補情報１２０１と候補情報１２０５のいずれかが、第１通信部１１０４の画面構成情報として設定される。
【０１２３】
図１２において、候補情報１２０２，１２０６は、画像表示装置１１０１が有する第１通信部１１０５の画面構成情報の候補である。候補情報１２０２は独立画面情報であり、候補情報１２０６は部分画面情報である。本実施例では、候補情報１２０２と候補情報１２０６のいずれかが、第１通信部１１０５の画面構成情報として設定される。
【０１２４】
図１２において、候補情報１２０３，１２０７は、画像表示装置１１０２が有する第１通信部１１０６の画面構成情報の候補である。候補情報１２０３は独立画面情報であり、候補情報１２０７は部分画面情報である。本実施例では、候補情報１２０３と候補情報１２０７のいずれかが、第１通信部１１０６の画面構成情報として設定される。
【０１２５】
図１２において、候補情報１２０４，１２０８は、画像表示装置１１０２が有する第１通信部１１０７の画面構成情報の候補である。候補情報１２０４は独立画面情報であり、候補情報１２０８は部分画面情報である。本実施例では、候補情報１２０４と候補情報１２０８のいずれかが、第１通信部１１０７の画面構成情報として設定される。
【０１２６】
図１２では、画像表示装置１１０１の画面と画像表示装置１１０２の画面とからなる統合画面を得るために必要な複数の第１通信部の組み合わせが予め定められている。具体的には、上記組み合わせとして、第１通信部１１０４と第１通信部１１０６の組み合わせ、及び、第１通信部１１０５と第１通信部１１０７の組み合わせ、が想定されている。そのため、候補情報１２０５と候補情報１２０７には同じ画面構成情報ＩＤ“０００３”が割り当てられており、候補情報１２０６と候補情報１２０８にも同じ画面構成情報ＩＤ“０００４”が割り当てられている。なお、上記組み合わせは、変更不可能であっても変更可能であってもよい。例えば、ユーザが上記組み合わせを変更できてもよい。
【０１２７】
（画像表示装置１１０１，１１０２の動作）
画像表示装置１１０１，１１０２の動作の一例について、図１３を用いて説明する。図１３は、画像表示装置１１０２に対するユーザ操作に応じて画像表示装置１１０１，１１０２の画面構成情報を変更する動作の一例を示すフローチャートである。本実施例では、画像表示装置に対する切り替え操作が行われた場合に、当該画像表示装置の画面構成情報が変更される。そして、切り替え操作に応じて画像表示装置の画面構成情報が変更されたことに連動して、他の画像表示装置の画面構成情報も変更される。切り替え操作は、表示に使用する第１通信部を切り替えるユーザ操作である。なお、本実施例に係る画像出力装置の動作は、実施例１（図９）と同じであるため、その説明は省略する。
【０１２８】
以下では、図１３のフローチャートの開始時における画像表示装置１１０１，１１０２
の状態が図１３の状態１３１６であった場合の例を説明する。状態１３１６では、画像表示装置１１０１の第１通信部１１０４、及び、画像表示装置１１０２の第１通信部１１０６が、表示に使用する第１通信部として選択されている。第１通信部１１０４の画面構成情報として図１２の候補情報１２０５（部分画面情報）が設定されている。第１通信部１１０６の画面構成情報として候補情報１２０７（部分画面情報）が設定されている。そして、画像表示装置１１０２の第１通信部１１０７の画面構成情報として候補情報１２０４（独立画面情報）が設定されている。そのため、画像表示装置１１０１の画面と画像表示装置１１０２の画面とからなる統合画面に、１つのデスクトップが表示されている。
【０１２９】
まず、Ｓ１３０１にて、画像表示装置１１０２のユーザ操作検出部３０１が、画像表示装置１１０２のユーザインタフェース部２１２の出力信号を監視する。
次に、Ｓ１３０２にて、画像表示装置１１０２のユーザ操作検出部３０１が、画像表示装置１１０２に対するユーザ操作が行われたか否かを判定する。画像表示装置１１０２に対するユーザ操作が行われた場合にはＳ１３０３に処理が進められ、画像表示装置１１０２に対するユーザ操作が行われていない場合にはＳ１３０１に処理が戻される。
【０１３０】
Ｓ１３０３では、画像表示装置１１０２のユーザ操作検出部３０１が、ユーザインタフェースの出力信号を解析する。
次に、Ｓ１３０４にて、画像表示装置１１０２のユーザ操作検出部３０１が、Ｓ１１０３の解析結果に基づいて、Ｓ１３０２で検出されたユーザ操作が切り替え操作であるか否かを判定する。ここで、切り替え操作は、表示に使用する第１通信部を画像表示装置１１０２の第１通信部１１０６と第１通信部１１０７の間で切り替えるユーザ操作である。Ｓ１３０２で検出されたユーザ操作が切り替え操作である場合には、Ｓ１３０５に処理が進められる。Ｓ１３０２で検出されたユーザ操作が切り替え操作でない場合には、ユーザ操作に応じた他の処理が画像表示装置１１０２で行われ、Ｓ１３０１に処理が戻される。
【０１３１】
Ｓ１３０５では、画像表示装置１１０２の情報設定制御部３０２が、ＨＰＤ信号のレベルのＨレベルからＬレベルへの切り替えを、画像表示装置１１０２の第１通信部１１０６，１１０７に指示する。それにより、第１通信部１１０６からケーブル１１０９の接続検知線に出力されているＨＰＤ信号のレベルが、ＨレベルからＬレベルに切り替えられる。その結果、画像出力装置１０３の接続検知部２３４は、画像出力装置１０３に対する画像表示装置１１０２の非接続を検知する。第１通信部１１０７からケーブル１１１０の接続検知線に出力されているＨＰＤ信号のレベルも、ＨレベルからＬレベルに切り替えられる。その結果、画像出力装置１１０３の第３通信部１１１１が有する接続検知部も、画像出力装置１１０３に対する画像表示装置１１０２の非接続を検知する。
【０１３２】
なお、画面構成情報として独立画面情報が設定されている第１通信部、画像出力装置が接続されていない第１通信部、Ｓ１３０２で検出された切り替え操作後に表示に使用されない第１通信部、等に対しては、Ｓ１３０５の指示が省略されてもよい。図１１では、第１通信部１１０７の画面構成情報として候補情報１２０４が設定されているため、第１通信部１１０７に対する指示は省略されてもよい。また、図１１では、第１通信部１１０６は表示に使用されなくなるため、第１通信部１１０７に対する指示が省略されてもよい。
【０１３３】
次に、Ｓ１３０６にて、画像表示装置１１０２の候補情報取得部３０４が、画像表示装置１１０２の不揮発性メモリ２１０から候補情報を読み出す。本実施例では、独立画面情報である候補情報１２０３，１２０４が読み出される。
【０１３４】
なお、画面構成情報として独立画面情報が設定されている第１通信部、画像出力装置が接続されていない第１通信部、Ｓ１３０２で検出された切り替え操作後に表示に使用されない第１通信部、等については、候補情報の読み出しが省略されてもよい。図１１では、
候補情報１２０３と候補情報１２０４の少なくとも一方の読み出しが省略されてもよい。
【０１３５】
そして、Ｓ１３０７にて、画像表示装置１１０２の情報設定部３０３が、Ｓ１３０６で読み出された候補情報１２０３，１２０４を、第１通信部１１０６，１１０７の画面構成情報として設定する。具体的には、候補情報１２０３が第１通信部１１０６の画面構成情報として設定され、候補情報１２０４が第１通信部１１０７の画面構成情報として設定される。このように、本実施例では、切り替え操作に応じて、画面構成情報が部分画面情報から独立画面情報に変更される。
【０１３６】
なお、画面構成情報として独立画面情報が設定されている第１通信部、画像出力装置が接続されていない第１通信部、Ｓ１３０２で検出された切り替え操作後に表示に使用されない第１通信部、等については、画面構成情報を設定する処理が省略されてもよい。図１１では、候補情報１２０３と候補情報１２０４の一方を設定する処理が省略されてもよい。
【０１３７】
次に、Ｓ１３０８にて、画像表示装置１１０２の情報設定部３０３が、変更指示の出力を、画像表示装置１１０２の第２通信部２１４に指示する。それにより、第２通信部２１４から画像表示装置１１０１の第２通信部２１３に変更指示が出力される。
【０１３８】
そして、画像表示装置１１０１が、第２通信部２１３によって変更指示が受信されたことに応じて、Ｓ１３０９〜Ｓ１３１１の処理を行う。
【０１３９】
Ｓ１３０９では、画像表示装置１１０１の情報設定制御部３０２が、ＨＰＤ信号のレベルのＨレベルからＬレベルへの切り替えを、画像表示装置１１０１の第１通信部１１０４，１１０５に指示する。それにより、第１通信部１１０４からケーブル１１０８の接続検知線に出力されているＨＰＤ信号のレベルが、ＨレベルからＬレベルに切り替えられる。その結果、画像出力装置１０３の接続検知部２３３は、画像出力装置１０３に対する画像表示装置１１０１の非接続を検知する。第１通信部１１０５から出力されているＨＰＤ信号のレベルも、ＨレベルからＬレベルに切り替えられる。
【０１４０】
なお、画面構成情報として独立画面情報が設定されている第１通信部、画像出力装置が接続されていない第１通信部、表示に使用されていない第１通信部、等に対しては、Ｓ１３０９の指示が省略されてもよい。図１１では、第１通信部１１０５には画像出力装置が接続されていないため、第１通信部１１０５に対する指示が省略されてもよい。
【０１４１】
Ｓ１３１０では、画像表示装置１１０１の候補情報取得部３０４が、画像表示装置１１０１の不揮発性メモリ２０９から候補情報を読み出す。本実施例では、独立画面情報である候補情報１２０１，１２０２が読み出される。
【０１４２】
なお、画面構成情報として独立画面情報が設定されている第１通信部、画像出力装置が接続されていない第１通信部、表示に使用されていない第１通信部、等については、候補情報の読み出しが省略されてもよい。図１１では、候補情報１２０２の読み出しが省略されてもよい。
【０１４３】
Ｓ１３１１では、画像表示装置１１０１の情報設定部３０３が、Ｓ１３０９で読み出された候補情報１２０１，１２０２を、第１通信部１１０４，１１０５の画面構成情報として設定する。具体的には、候補情報１２０１が第１通信部１１０４の画面構成情報として設定され、候補情報１２０２が第１通信部１１０５の画面構成情報として設定される。
【０１４４】
なお、画面構成情報として独立画面情報が設定されている第１通信部、画像出力装置が
接続されていない第１通信部、表示に使用されていない第１通信部、等については、画面構成情報を設定する処理が省略されてもよい。図１１では、候補情報１２０２を設定する処理が省略されてもよい。
【０１４５】
次に、Ｓ１３１２にて、画像表示装置１１０２の情報設定制御部３０２が、画像表示装置１１０１の画面構成情報の変更と画像表示装置１１０２の画面構成情報の変更との両方が完了したか否かを判定する。画像表示装置１１０１の画面構成情報の変更と画像表示装置１１０２の画面構成情報の変更との両方が完了するまで、Ｓ１３１２の処理が繰り返し行われる。そして、画像表示装置１１０１の画面構成情報の変更と画像表示装置１１０２の画面構成情報の変更との両方が完了すると、Ｓ１３１３に処理が進められる。
【０１４６】
Ｓ１３１３では、画像表示装置１１０２の情報設定制御部３０２が、ＨＰＤ信号のレベルのＬレベルからＨレベルへの切り替えを、第１通信部１１０６，１１０７に指示する。それにより、第１通信部１１０６からケーブル１１０９の接続検知線に出力されているＨＰＤ信号のレベルが、ＬレベルからＨレベルに切り替えられる。その結果、画像出力装置１０３の接続検知部２３４は、画像出力装置１０３に対する画像表示装置１１０２の接続を検知する。第１通信部１１０７からケーブル１１１０の接続検知線に出力されているＨＰＤ信号のレベルも、ＬレベルからＨレベルに切り替えられる。その結果、画像出力装置１１０３の第３通信部１１１１が有する接続検知部も、画像出力装置１１０３に対する画像表示装置１１０２の接続を検知する。
【０１４７】
なお、ＨレベルのＨＰＤ信号を出力している第１通信部、画像出力装置が接続されていない第１通信部、Ｓ１３０２で検出された切り替え操作後に表示に使用されない第１通信部、等に対しては、Ｓ１３１３の指示が省略されてもよい。
【０１４８】
次に、Ｓ１３１４にて、画像表示装置１１０２の情報設定制御部３０２が、ＨＰＤ信号のレベルをＬレベルからＨレベルへ切り替える切り替え指示の出力を、第２通信部２１４に指示する。それにより、第２通信部２１４から第２通信部２１３に上記切り替え指示が出力される。
【０１４９】
そして、Ｓ１３１５にて、画像表示装置１１０１の情報設定制御部３０２が、第２通信部２１３によって上記切り替え指示が受信されたことに応じて、ＨＰＤ信号のレベルのＬレベルからＨレベルへの切り替えを、第１通信部１１０４，１１０５に指示する。それにより、第１通信部１１０４からケーブル１１０８の接続検知線に出力されているＨＰＤ信号のレベルが、ＬレベルからＨレベルに切り替えられる。その結果、画像出力装置１０３の接続検知部２３３は、画像出力装置１０３に対する画像表示装置１１０１の接続を検知する。第１通信部１１０５から出力されているＨＰＤ信号のレベルも、ＬレベルからＨレベルに切り替えられる。
【０１５０】
なお、ＨレベルのＨＰＤ信号を出力している第１通信部、画像出力装置が接続されていない第１通信部、表示に使用されていない第１通信部、等に対しては、Ｓ１３１５の指示が省略されてもよい。図１１では、第１通信部１１０５に対する指示が省略されてもよい。
【０１５１】
以上の動作により、画像表示装置１１０２に対するユーザ操作に応じて、画像表示装置１１０１の画面構成情報と画像表示装置１１０２の画面構成情報との両方が変更される。具体的には、画像表示装置１１０１，１１０２の状態が図１３の状態１３１６から状態１３１７に変更される。より具体的には、表示に使用される通信部が、画像表示装置１１０２の第１通信部１１０６から第１通信部１１０７に変更される。そのため、画像表示装置１１０１では、画像出力装置１０３から出力された画像データに基づく画像が表示され、
画像表示装置１１０２では、画像出力装置１１０３から出力された画像データに基づく画像が表示される。また、第１通信部１１０４の画面構成情報が図１２の候補情報１２０５（部分画面情報）から候補情報１２０１（独立画面情報）に変更される。第１通信部１１０６の画面構成情報も、候補情報１２０７（部分画面情報）から候補情報１２０３に変更される。そのため、画像表示装置１１０１の画面と画像表示装置１１０２の画面とのそれぞれに１つのデスクトップが表示されるように、画像表示装置１１０１，１１０２の表示が変更される。
【０１５２】
なお、画像表示装置１１０１，１１０２の動作は図１３の動作に限らない。
例えば、図１３の例では、各画像表示装置に複数の候補情報が予め記録されており、予め記録された複数の候補情報のうちの１つを記憶部から読み出し、読み出した候補情報を画面構成情報として設定する例を説明したが、これに限らない。例えば、Ｓ１３０８において、画像表示装置１１０２は、画像表示装置１１０１に対して設定すべき候補情報を、画像表示装置１１０１に通知してもよい。そして、画像表示装置１１０１は、画像表示装置１１０２から通知された候補情報を、画像表示装置１１０１の画面構成情報として設定してもよい。
また、図１３のＳ１３１２やＳ１３１４の処理は行われなくてもよい。例えば、各画像表示装置が、自装置に対する画面構成情報の変更が完了したタイミングで、ＨＰＤ信号のレベルをＨレベルに切り替えてもよい。
【０１５３】
なお、本実施例では、第１通信部毎に画面構成情報が設定される例を説明したが、画像表示装置が有する複数の第１通信部に対して、それらの間で共通の１つの画面構成情報が設定されてもよい。
また、本実施例では、切り替え操作に応じて、部分画面情報から独立画面情報に画面構成情報が変更される例を説明したが、これに限らない。例えば、切り替え操作によって、統合画面を得るために必要な全ての第１通信部が表示に使用されることとなった場合には、当該統合画面が得られるように、独立画面情報から部分画面情報に画面構成情報を変更する処理が行われてもよい。具体的には、表示に使用される第１通信部を示す使用情報と、統合画面を得るために必要な複数の第１通信部の組み合わせに関する組み合わせ情報と、が画像表示装置間で送受信されてもよい。各画像表示装置が、使用情報と組み合わせ情報とに基づいて、統合画面を得るために必要な全ての第１通信部が表示に使用されるか否かを判定してもよい。そして、統合画面を得るために必要な全ての第１通信部が表示に使用されると判定された場合に、各画像表示装置が、当該統合画面が得られるように、画面構成情報として部分画面情報を設定してもよい。組み合わせ情報としては、例えば、部分画面情報である候補情報を使用することができる。例えば、レイアウト情報から、統合画面を構成する部分画面の数、すなわち統合画面を得るために必要な第１通信部の数を把握することができる。そして、画面構成情報ＩＤから、同じ統合画面を構成可能な複数の第１通信部を把握することができる。なお、組み合わせ情報は、統合画面を得るために必要な複数の第１通信部の組み合わせを示す情報であればよく、候補情報でなくてもよい。
【０１５４】
（本実施例の効果）
本実施例の効果について、図１４を用いて説明する。図１４は、図９，１３に示す動作によって、画像表示装置１１０１，１１０２の表示が変更される様子の一例を示す。図１４には、表示に使用される第１通信部の画面構成情報も示されている。
【０１５５】
図１４に示すように、切り替え操作前は、画像出力装置１０３に接続されている第１通信部１１０４，１１０６が表示に使用されており、第１通信部１１０４，１１０６の画面構成情報として部分画面情報（候補情報１２０５，１２０７）が設定されている。そのため、画像表示装置１１０１の画面と画像表示装置１１０２の画面とからなる統合画面に１つのデスクトップＡが表示されるように、画像表示装置１１０１の画面と画像表示装置１
１０２の画面とのそれぞれにデスクトップＡの一部が表示されている。
【０１５６】
図１４の例では、切り替え操作に応じて、表示に使用される第１通信部が、画像出力装置１０３に接続されている第１通信部１１０６から、画像出力装置１１０３に接続されている第１通信部１１０７に切り替えられる。そして、図１４の例では、第１通信部１１０７の画面構成情報として独立画面情報（候補情報１２０４）が設定されている。そのため、図１４に示すように、切り替え操作に応じて、画像表示装置１１０２の表示が、デスクトップＡの一部から、デスクトップＢ（デスクトップＢの全部）に変更される。
【０１５７】
従来は、切り替え操作が行われても、画面構成情報は変更されない。そのため、図１４に示すように、切り替え操作が行われても、画像表示装置１１０１の表示は変更されない。即ち、切り替え操作後にも、画像表示装置１１０１の画面には、デスクトップＡの一部（半分）が表示され続けてしまう。上述したように、切り替え操作後には、画像表示装置１１０２の画面にデスクトップＢが表示される。そのため、デスクトップＡの残り半分は表示されない（画像の破たん）。従来は、このような画像の破たんを解消するために、第１通信部１１０４の画面構成情報を部分画面情報から独立画面情報（候補情報１２０１）に変更するユーザ操作が必要であった。また、第１通信部１１０７に対して部分画面情報（候補情報１２０８）が設定されていた場合には、第１通信部１１０４の画面構成情報を部分画面情報から独立画面情報に変更するユーザ操作も必要であった。
【０１５８】
一方、本実施例では、切り替え操作が行われた場合に、画面構成情報が部分画面情報から独立画面情報に変更される。例えば、第１通信部１１０４の画面構成情報が、部分画面情報１２０５から独立画面情報１２０１に変更される。それにより、図１４に示すように、切り替え操作に応じて、画像表示装置１１０１の表示が、デスクトップＡの一部からデスクトップＡの全部に変更される。また、切り替え操作前に第１通信部１１０７に対して部分画面情報が設定されていた場合には、切り替え操作に応じて、第１通信部１１０７の画面構成情報も部分画面情報から独立画面情報に変更される。そのため、本実施例では、切り替え操作が行われても上述したような画像の破たんは生じないし、画像の破たんを解消するためのユーザ操作も必要ない。
【０１５９】
以上述べたように、本実施例でも、第１表示装置の画面構成情報がユーザ操作に応じて変更されたことに連動して、第２表示装置の画面構成情報も変更される。それにより、複数の画像表示装置のそれぞれの画面構成情報を容易に変更することができる。
【０１６０】
＜実施例３＞
以下、本発明の実施例３に係る画像表示システム及びその制御方法について説明する。なお、実施例２と同様の構成や処理については、説明を省略する。
【０１６１】
本実施例では、実施例２で述べた切り替え操作として、第１のユーザ操作（第１の切り替え操作）と第２のユーザ操作（第２の切り替え操作）が存在する。図１５は、画像表示装置に対する切り替え操作と、画像表示装置の動作と、の対応関係の一例を示す図である。図１５に示すように、第１の切り替え操作が行われた場合には、画面構成情報を変更する処理は行われず、第２のユーザ操作が行われた場合に、画面構成情報を変更する処理が行われる。
【０１６２】
第１のユーザ操作と第２のユーザ操作は、例えば、ボタンの押下時間、ボタンの種類、等が異なる。なお、第１のユーザ操作と第２のユーザ操作の内容は変更不可能であっても変更可能であってもよい。例えば、ユーザ操作に応じて、第１のユーザ操作と第２のユーザ操作が設定されてり変更されたりしてもよい。
【０１６３】
本実施例に係る画像表示システムの動作について、図１６を用いて説明する。図１６は、切り替え操作に応じて画像表示装置１１０１，１１０２の表示が変更される様子の一例を示す。画像表示装置１１０１，１１０２の構成は、実施例２で述べたとおりである。図１６には、第１通信部１１０５以外の第１通信部の画面構成情報も示されている。ここでは、ボタンの押下時間が短い切り替え操作が第１の切り替え操作であり、ボタンの押下時間が長い切り替え操作が第２の切り替え操作であるとするが、これに限らない。
【０１６４】
図１６に示すように、切り替え操作前は、画像出力装置１０３に接続されている第１通信部１１０４，１１０６が表示に使用されており、第１通信部１１０４，１１０６の画面構成情報として部分画面情報（候補情報１２０５，１２０７）が設定されている。そのため、画像表示装置１１０１の画面と画像表示装置１１０２の画面とからなる統合画面に１つのデスクトップＡが表示されるように、画像表示装置１１０１の画面と画像表示装置１１０２の画面とのそれぞれにデスクトップＡの一部が表示されている。
【０１６５】
図１６の例では、切り替え操作に応じて、表示に使用される第１通信部が、画像出力装置１０３に接続されている第１通信部１１０６から、画像出力装置１１０３に接続されている第１通信部１１０７に切り替えられる。そして、図１６の例では、第１通信部１１０７の画面構成情報として独立画面情報（候補情報１２０４）が設定されている。そのため、図１６に示すように、切り替え操作に応じて、画像表示装置１１０２の表示が、デスクトップＡの一部から、デスクトップＢ（デスクトップＢの全部）に変更される。
【０１６６】
ここで、切り替え操作として、ボタンの押下時間が短い第１の切り替え操作が行われた場合を考える。この場合には、画像表示装置１１０１，１１０２の画面構成情報は変更されない。そのため、第１の切り替え操作が行われても、画像表示装置１１０１の表示は変更されない。第１の切り替え操作は、例えば、“他の画像表示装置が出力する画像データに基づく画像を一時的に確認した後に、画像表示を元の画像表示に戻す”というユーザの作業に対して好ましい切り替え操作である。
【０１６７】
次に、切り替え操作として、ボタンの押下時間が長い第２の切り替え操作が行われた場合を考える。この場合には、実施例２と同様に、画像表示装置１１０１，１１０２の画面構成情報が変更される。そのため、第１の切り替え操作に応じて、画像表示装置１１０１の表示が、デスクトップＡの一部からデスクトップＡの全部に変更される。第２の切り替え操作は、例えば、“複数の画像出力装置から出力された複数の画像データに基づく複数の画像を確認して比較する”というユーザの作業に対して好ましい切り替え操作である。
【０１６８】
以上述べたように、本実施例によれば、第１の切り替え操作が行われた場合には、画面構成情報を変更する処理は行われず、第２のユーザ操作が行われた場合に、画面構成情報を変更する処理が行われる。それにより、ユーザは目的に応じて切り替え操作を使い分けることができ、ユーザの利便性をより向上することができる。
【０１６９】
＜実施例４＞
以下、本発明の実施例４に係る画像表示システム及びその制御方法について説明する。なお、実施例１〜３と同様の構成や処理については、説明を省略する。
【０１７０】
図１７は、本実施例に係る画像出力装置１０３の構成の一例を示す図である。図１７に示すように、本実施例に係る画像出力装置１０３は、実施例１〜３と同様の構成を有する。但し、本実施例に係る画像出力装置１０３のＣＰＵ２２３は、画像ビューワ１７０１をさらに有する。
【０１７１】
画像ビューワ１７０１は、ＣＰＵ２２３上で動作するアプリケーションであり、デスク
トップ上に描画（重畳）するビューワ画像を表すビューワ画像データを生成して出力する。ビューワ画像データは、例えば、記憶部２２６などに記録されている。画像ビューワ１７０１は、記憶部２２６からビューワ画像データを取得し、取得したビューワ画像データに画像処理を施し、画像処理後のビューワ画像データを出力する。画像ビューワ１７０１は、設定されているデスクトップに対して最適なビューワ画像が表示されるように、取得したビューワ画像データに画像処理を施す。例えば、画像出力装置１０３に対するユーザ操作によってフィット表示モードが選択された場合には、デスクトップ全体にビューワ画像が表示されるように、ビューワ画像データにスケーリング処理が施される。スケーリング処理は、ビューワ画像のサイズを変更（拡大や縮小）する処理である。画像ビューワ１７０１から出力されたビューワ画像データは、例えば、デスクトップデータ生成部２２８で生成されたデスクトップ画像データ（デスクトップの画像データ）に合成される（合成処理）。そして、合成処理によって得られた画像データに基づく画像（デスクトップ上にビューワ画像を重畳した画像）が、画像表示装置で表示される。
【０１７２】
本実施例に係る画像出力装置１０３の動作の一例について、図１８を用いて説明する。図１８は、画像出力装置１０３の動作の一例を示すフローチャートである。
図１８のＳ１８０１〜Ｓ１８１１の処理は、図９のＳ９０１〜Ｓ９１１の処理と同じであるため、その説明は省略する。
【０１７３】
Ｓ１８１１の次に、Ｓ１８１２にて、デスクトップ設定部２２４は、Ｓ１８０９で設定したデスクトップを示すデスクトップ情報を、画像ビューワ１７０１に通知する。なお、Ｓ１８１１では、設定されているデスクトップが変更された場合にのみ、デスクトップ情報（変更後のデスクトップを示すデスクトップ情報）が画像ビューワ１７０１に通知されてもよい。デスクトップ情報は、各第３通信部に対して設定されているデスクトップを示す情報である。
【０１７４】
次に、Ｓ１８１３にて、画像ビューワ１７０１は、Ｓ１８１１で通知されたデスクトップ情報に基づいてビューワ画像データを生成（変更）し、生成したビューワ画像データを出力する（ビューワ画像の更新）。Ｓ１８１３の処理により、拡張デスクトップから統合デスクトップにデスクトップが変更された場合には、ビューワ画像のサイズを拡大する拡大処理が行われ、統合デスクトップ全体にビューワ画像がフィット表示される。統合デスクトップから拡張デスクトップにデスクトップが変更された場合には、ビューワ画像のサイズを縮小する縮小処理が行われ、拡張デスクトップ全体にビューワ画像がフィット表示される。
【０１７５】
なお、本実施例では、デスクトップ上に配置する画像（配置画像）がビューワ画像である場合の例を説明するが、配置画像はビューワ画像に限らない。ビューワ画像以外の配置画像のサイズがデスクトップ情報に基づいて変更されてもよい。
【０１７６】
以上述べたように、本実施例によれば、デスクトップの変更に伴い、デスクトップ上に配置する画像（配置画像）のサイズも変更される。これにより、デスクトップの変更後にユーザが配置画像のサイズを手動で変更する手間を省くことができ、ユーザの利便性をより向上することができる。
【０１７７】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１７８】
１０１，１０２，１１０１，１１０２：画像表示装置
１０３，１１０３：画像出力装置  ２１３，２１４：第２通信部
２２８：デスクトップデータ生成部  ２２９，２３０：画像データ出力部
２３１，２３２：情報取得部  ２３３，２３４：接続検知部  ３０３：情報設定部
【図１】
0006562621.tif 000002
【図２】
0006562621.tif 000003
【図３】
0006562621.tif 000004
【図４】
0006562621.tif 000005
【図５】
0006562621.tif 000006
【図６】
0006562621.tif 000007
【図７】
0006562621.tif 000008
【図８】
0006562621.tif 000009
【図９】
0006562621.tif 000010
【図１０】
0006562621.tif 000011
【図１１】
0006562621.tif 000012
【図１２】
0006562621.tif 000013
【図１３】
0006562621.tif 000014
【図１４】
0006562621.tif 000015
【図１５】
0006562621.tif 000016
【図１６】
0006562621.tif 000017
【図１７】
0006562621.tif 000018
【図１８】
0006562621.tif 000019